(57)【特許請求の範囲】
【請求項１】
無線通信システムにおいてユーザ機器によりＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）リソースを決定する方法であって、
前記方法は、
ＰＵＳＣＨ（Ｐｈｙｓｉｃａｌ  Ｕｐｌｉｎｋ  Ｓｈａｒｅｄ  Ｃｈａｎｎｅｌ）を介して第１の符号語及び第２の符号語を送信することと、
前記第１の符号語及び前記第２の符号語に各々対応する第１のＰＨＩＣＨリソース及び第２のＰＨＩＣＨリソースを決定することと
を含み、
前記第１のＰＨＩＣＨリソース及び前記第２のＰＨＩＣＨリソースは、前記ＰＵＳＣＨがマッピングされた第１のスロット内のＰＲＢ（Ｐｈｙｓｉｃａｌ  Ｒｅｓｏｕｒｃｅ  Ｂｌｏｃｋ）のうち最も小さいＰＲＢのインデックスＩＰＲＢ＿ＲＡｌｏｗｅｓｔ＿ｉｎｄｅｘ、ＤＭＲＳ（Ｄｅｍｏｄｕｌａｔｉｏｎ  Ｒｅｆｅｒｅｎｃｅ  Ｓｉｇｎａｌ）のための循環シフトフィールドｎＤＭＲＳ、及び以下の数式に従って前記最も小さいＰＲＢのインデックスＩＰＲＢ＿ＲＡｌｏｗｅｓｔ＿ｉｎｄｅｘに適用されるオフセットβに基づいて決定され、
【数１】
0005529973.tif 000047
ｎＰＨＩＣＨｇｒｏｕｐはＰＨＩＣＨグループのインデックスであり、ｎＤＭＲＳは前記ＤＭＲＳのための循環シフトフィールドであり、ＩＰＲＢ＿ＲＡｌｏｗｅｓｔ＿ｉｎｄｅｘは前記ＰＵＳＣＨがマッピングされた第１のスロット内のＰＲＢのうち最も小さいＰＲＢのインデックスであり、
βは前記オフセットであり、ＮＰＨＩＣＨｇｒｏｕｐは前記ＰＨＩＣＨグループの個数であり、
前記第１のＰＨＩＣＨリソースに対して前記オフセットβは０であり、
前記第２のＰＨＩＣＨリソースに対して前記オフセットβは１である、方法。
【請求項２】
ＩＰＨＩＣＨは０または１の値である、請求項１に記載の方法。
【請求項３】
前記第１のＰＨＩＣＨリソース及び前記第２のＰＨＩＣＨリソースは、さらに、以下の数式に基づいて決定され、
【数２】
0005529973.tif 000048
ｎＰＨＩＣＨｓｅｑは前記ＰＨＩＣＨグループ内の直交シーケンスインデックスであり、ｎＤＭＲＳは前記ＤＭＲＳのための循環シフトフィールドであり、ＮＳＦＰＨＩＣＨはＳＦ（Ｓｐｒｅａｄｉｎｇ  Ｆａｃｔｏｒ）の大きさであり、ＩＰＲＢ＿ＲＡｌｏｗｅｓｔ＿ｉｎｄｅｘは前記ＰＵＳＣＨがマッピングされた第１のスロット内のＰＲＢのうち最も小さいＰＲＢのインデックスであり、βは前記オフセットである、請求項１に記載の方法。
【請求項４】
前記オフセットβは、予め決定されるか、または上位階層によりシグナリングされる、請求項１に記載の方法。
【請求項５】
前記第１のＰＨＩＣＨリソースは、前記ＰＵＳＣＨの第１のＴＢ（Ｔｒａｎｓｐｏｒｔ  Ｂｌｏｃｋ）に対応し、
前記第２のＰＨＩＣＨリソースは、前記ＰＵＳＣＨの第２のＴＢに対応する、請求項１に記載の方法。
【請求項６】
前記第１のＴＢは、前記第１の符号語及び前記第２の符号語のうちいずれか一つに対応し、
前記第２のＴＢは、前記第１の符号語及び前記第２の符号語のうち残りの一つに対応する、請求項５に記載の方法。
【請求項７】
前記第１のＰＨＩＣＨリソースを介して前記第１の符号語に対応する第１のＡＣＫ／ＮＡＣＫ（Ａｃｋｎｏｗｌｅｄｇｅｍｅｎｔ／Ｎｏｎ−ａｃｋｎｏｗｌｅｄｇｅｍｅｎｔ）信号を受信することと、
前記第２のＰＨＩＣＨリソースを介して前記第２の符号語に対応する第２のＡＣＫ／ＮＡＣＫ信号を受信することと
をさらに含む、請求項１に記載の方法。
【請求項８】
前記第１の符号語及び前記第２の符号語と、前記第１のＡＣＫ／ＮＡＣＫ信号及び前記第２のＡＣＫ／ＮＡＣＫ信号とは、複数の搬送波を介して送信される、請求項７に記載の方法。
【請求項９】
前記第１の符号語を送信するための搬送波と前記第１のＡＣＫ／ＮＡＣＫ信号を送信するための搬送波が同じであり、
前記第２の符号語を送信するための搬送波と前記第２のＡＣＫ／ＮＡＣＫ信号を送信するための搬送波が同じである、請求項８に記載の方法。
【請求項１０】
前記複数の搬送波は、少なくとも一つのＭＡＣ（Ｍｅｄｉａ  Ａｃｃｅｓｓ  Ｃｏｎｔｒｏｌ）により管理される、請求項８に記載の方法。
【請求項１１】
前記第１のＡＣＫ／ＮＡＣＫ信号及び前記第２のＡＣＫ／ＮＡＣＫ信号は、複数のアンテナを介して送信される、請求項７に記載の方法。
【請求項１２】
無線通信システムにおけるユーザ機器（ＵＥ）であって、
前記ＵＥは、
無線信号を送信または受信するＲＦ（Ｒａｄｉｏ  Ｆｒｅｑｕｅｎｃｙ）部と、
前記ＲＦ部と連結されるプロセッサと
を含み、
前記プロセッサは、
ＰＵＳＣＨ（Ｐｈｙｓｉｃａｌ  Ｕｐｌｉｎｋ  Ｓｈａｒｅｄ  Ｃｈａｎｎｅｌ）を介して第１の符号語及び第２の符号語を送信することと、
前記第１の符号語及び前記第２の符号語に各々対応する第１のＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）リソース及び第２のＰＨＩＣＨリソースを決定すること
を実行するように構成され、
前記第１のＰＨＩＣＨリソース及び前記第２のＰＨＩＣＨリソースは、前記ＰＵＳＣＨがマッピングされた第１のスロット内のＰＲＢ（Ｐｈｙｓｉｃａｌ  Ｒｅｓｏｕｒｃｅ  Ｂｌｏｃｋ）のうち最も小さいＰＲＢのインデックスＩＰＲＢ＿ＲＡｌｏｗｅｓｔ＿ｉｎｄｅｘ、ＤＭＲＳ（Ｄｅｍｏｄｕｌａｔｉｏｎ  Ｒｅｆｅｒｅｎｃｅ  Ｓｉｇｎａｌ）のための循環シフトフィールドｎＤＭＲＳ、及び以下の数式に従って前記最も小さいＰＲＢのインデックスＩＰＲＢ＿ＲＡｌｏｗｅｓｔ＿ｉｎｄｅｘに適用されるオフセットβに基づいて決定され、
【数３】
0005529973.tif 000049
ｎＰＨＩＣＨｇｒｏｕｐはＰＨＩＣＨグループのインデックスであり、ｎＤＭＲＳは前記ＤＭＲＳのための循環シフトフィールドであり、ＩＰＲＢ＿ＲＡｌｏｗｅｓｔ＿ｉｎｄｅｘは前記ＰＵＳＣＨがマッピングされた第１のスロット内のＰＲＢのうち最も小さいＰＲＢのインデックスであり、
βは前記オフセットであり、ＮＰＨＩＣＨｇｒｏｕｐは前記ＰＨＩＣＨグループの個数であり、
前記第１のＰＨＩＣＨリソースに対して前記オフセットβは０であり、
前記第２のＰＨＩＣＨリソースに対して前記オフセットβは１である、ユーザ機器。
【請求項１３】
ＩＰＨＩＣＨは０または１の値である、請求項１２に記載のユーザ機器。
【請求項１４】
前記第１のＰＨＩＣＨリソース及び前記第２のＰＨＩＣＨリソースは、さらに、以下の数式に基づいて決定され、
【数４】
0005529973.tif 000050
ｎＰＨＩＣＨｓｅｑは前記ＰＨＩＣＨグループ内の直交シーケンスインデックスであり、ｎＤＭＲＳは前記ＤＭＲＳのための循環シフトフィールドであり、ＮＳＦＰＨＩＣＨはＳＦ（Ｓｐｒｅａｄｉｎｇ  Ｆａｃｔｏｒ）の大きさであり、ＩＰＲＢ＿ＲＡｌｏｗｅｓｔ＿ｉｎｄｅｘは前記ＰＵＳＣＨがマッピングされた第１のスロット内のＰＲＢのうち最も小さいＰＲＢのインデックスであり、βは前記オフセットである、請求項１２に記載のユーザ機器。
【請求項１５】
無線通信システムにおいてＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）シーケンスを送信する方法であって、
前記方法は、
ＰＵＳＣＨ（Ｐｈｙｓｉｃａｌ  Ｕｐｌｉｎｋ  Ｓｈａｒｅｄ  Ｃｈａｎｎｅｌ）を介して送信された第１の符号語及び第２の符号語に各々対応する第１のＰＨＩＣＨシーケンス及び第２のＰＨＩＣＨシーケンスを生成することと、
前記第１のＰＨＩＣＨシーケンス及び前記第２のＰＨＩＣＨシーケンスを各々第１のＰＨＩＣＨリソース及び第２のＰＨＩＣＨリソースを介してユーザ機器に送信することと
を含み、
前記第１のＰＨＩＣＨリソース及び前記第２のＰＨＩＣＨリソースは、前記ＰＵＳＣＨがマッピングされた第１のスロット内のＰＲＢ（Ｐｈｙｓｉｃａｌ  Ｒｅｓｏｕｒｃｅ  Ｂｌｏｃｋ）のうち最も小さいＰＲＢのインデックスＩＰＲＢ＿ＲＡｌｏｗｅｓｔ＿ｉｎｄｅｘ、ＤＭＲＳ（Ｄｅｍｏｄｕｌａｔｉｏｎ  Ｒｅｆｅｒｅｎｃｅ  Ｓｉｇｎａｌ）のための循環シフトフィールドｎＤＭＲＳ、及び以下の数式に従って前記最も小さいＰＲＢのインデックスＩＰＲＢ＿ＲＡｌｏｗｅｓｔ＿ｉｎｄｅｘに適用されるオフセットβに基づいて決定され、
【数５】
0005529973.tif 000051
ｎＰＨＩＣＨｇｒｏｕｐはＰＨＩＣＨグループのインデックスであり、ｎＤＭＲＳは前記ＤＭＲＳのための循環シフトフィールドであり、ＩＰＲＢ＿ＲＡｌｏｗｅｓｔ＿ｉｎｄｅｘは前記ＰＵＳＣＨがマッピングされた第１のスロット内のＰＲＢのうち最も小さいＰＲＢのインデックスであり、
βは前記オフセットであり、ＮＰＨＩＣＨｇｒｏｕｐは前記ＰＨＩＣＨグループの個数であり、
前記第１のＰＨＩＣＨリソースに対して前記オフセットβは０であり、
前記第２のＰＨＩＣＨリソースに対して前記オフセットβは１である、方法。
【発明の詳細な説明】
【技術分野】
【０００１】
本発明は、無線通信に関し、より詳しくは、無線通信システムにおけるＨＡＲＱ実行方法及び装置に関する。
【背景技術】
【０００２】
広帯域無線通信システムの場合、限定された無線資源の効率性を極大化するために効果的な送受信技法及び活用方案が提案されてきた。次世代無線通信システムで考慮されているシステムのうち一つが、低い複雑度でシンボル間干渉（ＩＳＩ；Ｉｎｔｅｒ−Ｓｙｍｂｏｌ  Ｉｎｔｅｒｆｅｒｅｎｃｅ）効果を減殺させることができる直交周波数分割多重（ＯＦＤＭ；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムである。ＯＦＤＭは、直列に入力されるデータシンボルをＮ個の並列データシンボルに変換し、各々分離されたＮ個の副搬送波（ｓｕｂｃａｒｒｉｅｒ）に載せて送信する。副搬送波は、周波数次元で直交性を維持するようにする。各々の直交チャネルは、相互独立的な周波数選択的フェーディング（ｆｒｅｑｕｅｎｃｙ  ｓｅｌｅｃｔｉｖｅ  ｆａｄｉｎｇ）を経験するようになり、これによって、受信端での複雑度が減少し、送信されるシンボルの間隔が長くなるため、シンボル間干渉が最小化されることができる。
【０００３】
直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；以下、ＯＦＤＭＡという）とは、ＯＦＤＭを変調方式に使用するシステムにおいて利用可能な副搬送波の一部を各ユーザに独立的に提供して多重接続を実現する多重接続方法のことである。ＯＦＤＭＡは、副搬送波という周波数リソースを各ユーザに提供し、各々の周波数リソースは、多数のユーザに独立的に提供されて互いに重ならないのが一般的である。結局、周波数リソースは、ユーザ毎に相互排他的に割り当てられる。ＯＦＤＭＡシステムで周波数選択的スケジューリング（ｆｒｅｑｕｅｎｃｙ  ｓｅｌｅｃｔｉｖｅ  ｓｃｈｅｄｕｌｉｎｇ）を介して多重ユーザに対する周波数ダイバーシティ（ｆｒｅｑｕｅｎｃｙ  ｄｉｖｅｒｓｉｔｙ）を得ることができ、副搬送波に対する順列（ｐｅｒｍｕｔａｔｉｏｎ）方式によって副搬送波を多様な形態に割り当てることができる。また、多重アンテナ（ｍｕｌｔｉｐｌｅ  ａｎｔｅｎｎａ）を用いた空間多重化技法により空間領域の効率性を高めることができる。
【０００４】
ＭＩＭＯ（Ｍｕｌｔｉｐｌｅ−Ｉｎｐｕｔ  Ｍｕｌｔｉｐｌｅ−Ｏｕｔｐｕｔ）技術は、多重送信アンテナと多重受信アンテナを使用してデータの送受信効率を向上させる。ＭＩＭＯシステムでダイバーシティを具現するための技法には、ＳＦＢＣ（Ｓｐａｃｅ  Ｆｒｅｑｕｅｎｃｙ  Ｂｌｏｃｋ  Ｃｏｄｅ）、ＳＴＢＣ（Ｓｐａｃｅ  Ｔｉｍｅ  Ｂｌｏｃｋ  Ｃｏｄｅ）、ＣＤＤ（Ｃｙｃｌｉｃ  Ｄｅｌａｙ  Ｄｉｖｅｒｓｉｔｙ）、ＦＳＴＤ（ｆｒｅｑｕｅｎｃｙ  ｓｗｉｔｃｈｅｄ  ｔｒａｎｓｍｉｔ  ｄｉｖｅｒｓｉｔｙ）、ＴＳＴＤ（ｔｉｍｅ  ｓｗｉｔｃｈｅｄ  ｔｒａｎｓｍｉｔ  ｄｉｖｅｒｓｉｔｙ）、ＰＶＳ（Ｐｒｅｃｏｄｉｎｇ  Ｖｅｃｔｏｒ  Ｓｗｉｔｃｈｉｎｇ）、空間多重化（ＳＭ；Ｓｐａｔｉａｌ  Ｍｕｌｔｉｐｌｅｘｉｎｇ）などがある。受信アンテナ数と送信アンテナ数によるＭＩＭＯチャネル行列は、複数の独立チャネルに分解されることができる。各々の独立チャネルをレイヤ（ｌａｙｅｒ）またはストリーム（ｓｔｒｅａｍ）という。レイヤの個数をランク（ｒａｎｋ）という。
【０００５】
３ＧＰＰ（３ｒｄ  ｇｅｎｅｒａｔｉｏｎ  ｐａｒｔｎｅｒｓｈｉｐ  ｐｒｏｊｅｃｔ）ＴＳ  ３６．２１１  Ｖ８．８．０（２００９−０９）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の６節に開示されているように、３ＧＰＰ  ＬＴＥで使われるダウンリンク制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対する情報を運ぶ。ＰＤＣＣＨを介して送信される制御情報をダウンリンク制御情報（ＤＣＩ；Ｄｏｗｎｌｉｎｋ  Ｃｏｎｔｒｏｌ  Ｉｎｆｏｒｍａｔｉｏｎ）という。ＤＣＩは、アップリンクまたはダウンリンクスケジューリング情報及び任意のＵＥグループに対するアップリンク送信パワー制御命令などを意味する。ＰＨＩＣＨは、アップリンクＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｎ−Ａｃｋｎｏｗｌｅｄｇｅｍｅｎｔ）信号を運ぶ。即ち、端末が送信したアップリンクデータに対するＡＣＫ／ＮＡＣＫ信号はＰＨＩＣＨ上に送信される。
【０００６】
システム環境に応じて、複数のＰＨＩＣＨが割り当てられることができる。特に、複数の搬送波を用いてデータを送信する搬送波集合システム（ｃａｒｒｉｅｒ  ａｇｇｒｅｇａｔｉｏｎ  ｓｙｓｔｅｍ）、ＭＩＭＯシステムなどで複数のＰＨＩＣＨが同時に割り当てられる必要がある。基地局は、複数のＰＨＩＣＨにリソースを割り当て、ＰＨＩＣＨを介してＡＣＫ／ＮＡＣＫを送信する。
【０００７】
複数のＰＨＩＣＨが送信される時、割り当てられるリソースが互いに衝突しないためのリソース割当方法が必要である。
【発明の概要】
【発明が解決しようとする課題】
【０００８】
本発明の技術的課題は、無線通信システムにおけるＨＡＲＱ実行方法及び装置を提供することである。
【課題を解決するための手段】
【０００９】
一態様において、無線通信システムにおけるＨＡＲＱ実行方法が提供される。前記ＨＡＲＱ実行方法は、ＰＵＳＣＨ（Ｐｈｙｓｉｃａｌ  Ｕｐｌｉｎｋ  Ｓｈａｒｅｄ  Ｃｈａｎｎｅｌ）上に複数の符号語を送信し、前記複数の符号語の各々の受信可否を指示する複数のＡＣＫ／ＮＡＣＫ（Ａｃｋｎｏｗｌｅｄｇｅｍｅｎｔ／Ｎｏｎ−Ａｃｋｎｏｗｌｅｄｇｅｍｅｎｔ）信号を前記各符号語に対応される各々のＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）上に受信することを含み、前記各々のＰＨＩＣＨがマッピングされるダウンリンクリソースは、前記ＰＵＳＣＨがマッピングされたＰＲＢ（Ｐｈｙｓｉｃａｌ  Ｒｅｓｏｕｒｃｅ  Ｂｌｏｃｋ）のうち最も小さいＰＲＢのインデックス（ＩＰＲＢ＿ＲＡｌｏｗｅｓｔ＿ｉｎｄｅｘ）及びアップリンクＤＭＲＳ（Ｄｅｍｏｄｕｌａｔｉｏｎ  Ｒｅｆｅｒｅｎｃｅ  Ｓｉｇｎａｌ）循環シフトパラメータ（ｎＤＭＲＳ）に基づいて決定され、前記各々のＰＨＩＣＨがマッピングされるダウンリンクリソースは、互いに重ならないことを特徴とする。前記複数の符号語の個数は、２個である。前記各々のＰＨＩＣＨがマッピングされるダウンリンクリソースは、オフセットβに基づいて決定され、特に数式
【００１０】
【化１】
0005529973.tif 000002
に基づいて決定される。ｎＰＨＩＣＨｇｒｏｕｐはＰＨＩＣＨグループのインデックスであり、ｎＰＨＩＣＨｓｅｑは前記ＰＨＩＣＨグループ内の直交シーケンスインデックスであり、βは前記オフセットであり、ＮＰＨＩＣＨｇｒｏｕｐは前記ＰＨＩＣＨグループの個数であり、ＩＰＨＩＣＨは０または１の値であり、ＮＳＦＰＨＩＣＨは拡散因子（ＳＦ；Ｓｐｒｅａｄｉｎｇ  Ｆａｃｔｏｒ）である。前記オフセットβは、０または１のうちいずれか一つであり、前記オフセットβは、予め決定されたり、または上位階層によりシグナリングされる。前記複数の符号語を送信することは、前記複数の符号語をスクランブリング（ｓｃｒａｍｂｌｉｎｇ）して変調シンボルでマッピングし、前記各変調シンボルを各レイヤでマッピングし、前記各レイヤをＤＦＴ（Ｄｉｓｃｒｅｔｅ  Ｆｏｕｒｉｅｒ  Ｔｒａｎｓｆｏｒｍ）拡散（ｓｐｒｅａｄｉｎｇ）してプリコーディング（ｐｒｅｃｏｄｉｎｇ）し、前記プリコーディングにより生成されたストリームをリソース要素にマッピングして送信することを含む。前記複数の符号語及び前記複数のＡＣＫ／ＮＡＣＫ信号は、複数の搬送波を介して送信される。前記各符号語が送信される搬送波と前記各符号語に対応される前記各ＡＣＫ／ＮＡＣＫ信号が送信される搬送波とは、同じ搬送波である。前記複数の搬送波は、少なくとも一つのＭＡＣ（Ｍｅｄｉａ  Ａｃｃｅｓｓ  Ｃｏｎｔｒｏｌ）により管理される。前記複数のＡＣＫ／ＮＡＣＫ信号は、複数のアンテナを介して送信される。
【００１１】
他の態様において、無線通信システムにおけるＨＡＲＱ実行装置が提供される。前記ＨＡＲＱ実行装置は、ＰＵＳＣＨ上に複数の符号語を送信し、前記複数の符号語の各々の受信可否を指示する複数のＡＣＫ／ＮＡＣＫ信号を前記各符号語に対応する各々のＰＨＩＣＨ上に受信するように構成されるＲＦ（Ｒａｄｉｏ  Ｆｒｅｑｕｅｎｃｙ）部、及び前記ＲＦ部と連結され、前記複数の符号語と前記複数のＡＣＫ／ＮＡＣＫ信号を処理するプロセッサを含み、前記各々のＰＨＩＣＨがマッピングされるダウンリンクリソースは、前記ＰＵＳＣＨがマッピングされたＰＲＢのうち最も小さいＰＲＢのインデックス（ＩＰＲＢ＿ＲＡｌｏｗｅｓｔ＿ｉｎｄｅｘ）及びアップリンクＤＭＲＳ循環シフトパラメータ（ｎＤＭＲＳ）に基づいて決定され、前記各々のＰＨＩＣＨがマッピングされるダウンリンクリソースは、互いに重ならないことを特徴とする。
【００１２】
他の態様において、無線通信システムにおけるＡＣＫ／ＮＡＣＫ信号送信方法が提供される。前記ＡＣＫ／ＮＡＣＫ信号送信方法は、複数のＰＨＩＣＨシーケンスを生成し、前記生成した複数のＰＨＩＣＨシーケンスをダウンリンクリソースにマッピングし、前記マッピングされた複数のＰＨＩＣＨシーケンスを端末に送信することを含み、前記各々のＰＨＩＣＨがマッピングされるダウンリンクリソースは、前記各々のＰＨＩＣＨに対応されるＰＵＳＣＨがマッピングされたＰＲＢのうち最も小さいＰＲＢのインデックス（ＩＰＲＢ＿ＲＡｌｏｗｅｓｔ＿ｉｎｄｅｘ）及びアップリンクＤＭＲＳ（Ｄｅｍｏｄｕｌａｔｉｏｎ  Ｒｅｆｅｒｅｎｃｅ  Ｓｉｇｎａｌ）循環シフトパラメータ（ｎＤＭＲＳ）に基づいて決定され、前記各々のＰＨＩＣＨがマッピングされるダウンリンクリソースは、互いに重ならないことを特徴とする。
【発明の効果】
【００１３】
複数のＰＨＩＣＨのマッピングされるリソースが、互いに衝突することを防止することによって、効率的にＨＡＲＱ（Ｈｙｂｒｉｄ  Ａｕｔｏｍａｔｉｃ  Ｒｅｑｕｅｓｔ  Ｒｅｑｕｅｓｔ）を実行することができる。
【図面の簡単な説明】
【００１４】
【図１】無線通信システムである。
【図２】３ＧＰＰ  ＬＴＥにおける無線フレーム（ｒａｄｉｏ  ｆｒａｍｅ）の構造を示す。
【図３】一つのダウンリンクスロットに対するリソースグリッド（ｒｅｓｏｕｒｃｅ  ｇｒｉｄ）の一例を示す。
【図４】ダウンリンクサブフレームの構造を示す。
【図５】アップリンクサブフレームの構造を示す。
【図６】ＳＣ−ＦＤＭＡシステムで送信機構造の一例を示す。
【図７】副搬送波マッパが複素数シンボルを周波数領域の各副搬送波にマッピングする方式の一例を示す。
【図８】クラスタ化されたＤＦＴ−ｓ  ＯＦＤＭ送信方式を適用した送信機の一例である。
【図９】クラスタ化されたＤＦＴ−ｓ  ＯＦＤＭ送信方式を適用した送信機の一例である。
【図１０】クラスタ化されたＤＦＴ−ｓ  ＯＦＤＭ送信方式を適用した送信機の一例である。
【図１１】復調のための参照信号送信機の構造の一例を示す。
【図１２】参照信号が送信されるサブフレームの構造の一例である。
【図１３】参照信号にＯＣＣが適用される一例を示す。
【図１４】ＯＣＣを適用して互いに異なる帯域幅を有する２個の端末で送信される参照信号が多重化される一例を示す。
【図１５】ＰＡＲＣ技法をＳＵ−ＭＩＭＯに適用した場合である。
【図１６】ＰＵ２ＲＣ技法の一例を示すブロック図である。
【図１７】搬送波集合システムを構成する基地局と端末の一例である。
【図１８】搬送波集合システムを構成する基地局と端末の一例である。
【図１９】搬送波集合システムを構成する基地局と端末の一例である。
【図２０】アップリンクＨＡＲＱを示す。
【図２１】ＰＨＩＣＨ上にＡＣＫ／ＮＡＣＫ信号が送信されることを示すブロック図である。
【図２２】ＳＣ−ＦＤＭＡ送信方式を適用したアップリンクでＭＩＭＯ送信過程を示すブロック図である。
【図２３】複数のＰＨＩＣＨが割り当てられる時、ＰＨＩＣＨリソースが互いに衝突する場合の一例である。
【図２４】複数のＰＨＩＣＨが割り当てられる時、ＰＨＩＣＨリソースが互いに衝突する場合の一例である。
【図２５】複数のＰＨＩＣＨが割り当てられる時、ＰＨＩＣＨリソースが互いに衝突する場合の一例である。
【図２６】提案されたＨＡＲＱ実行方法の一実施例を示す。
【図２７】ＰＨＩＣＨリソース割当方法の一実施例である。
【図２８】２個のクラスタを含むクラスタ化されたＤＦＴ−ｓ  ＯＦＤＭシステム及びアップリンクＳＵ−ＭＩＭＯ環境で２個の端末が各々２個の符号語を送信する場合、ＰＨＩＣＨリソース割当方法の一実施例である。
【図２９】提案されたＡＣＫ／ＮＡＣＫ信号送信方法の一実施例を示す。
【図３０】本発明の実施例が具現される基地局及び端末を示すブロック図である。
【発明を実施するための形態】
【００１５】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は３ＧＰＰ  ＬＴＥの進化である。
【００１６】
説明を明確にするために、ＬＴＥ−Ａを中心に記述するが、本発明の技術的思想がこれに制限されるものではない。
【００１７】
図１は、無線通信システムである。
【００１８】
無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは複数の領域（セクターという）に分けられることができる。端末（Ｕｓｅｒ  Ｅｑｕｉｐｍｅｎｔ；ＵＥ）１２は、固定されたり、或いは移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００１９】
端末は、通常的に一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００２０】
この技術は、ダウンリンク（ｄｏｗｎｌｉｎｋ）またはアップリンク（ｕｐｌｉｎｋ）に使われることができる。一般的に、ダウンリンクは、基地局１１から端末１２への通信を意味し、アップリンクは、端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００２１】
無線通信システムは、ＭＩＭＯ（Ｍｕｌｔｉｐｌｅ−Ｉｎ  Ｍｕｌｔｉｐｌｅ−Ｏｕｔ）システム、ＭＩＳＯ（Ｍｕｌｔｉｐｌｅ  Ｉｎｐｕｔ  Ｓｉｎｇｌｅ  Ｏｕｔｐｕｔ）システム、ＳＩＳＯ（ｓｉｎｇｌｅ  ｉｎｐｕｔ  ｓｉｎｇｌｅ  ｏｕｔｐｕｔ）システム、及びＳＩＭＯ（ｓｉｎｇｌｅ  ｉｎｐｕｔ  ｍｕｌｔｉｐｌｅ  ｏｕｔｐｕｔ）システムのうちいずれか一つである。ＭＩＭＯシステムは、複数の送信アンテナ（ｔｒａｎｓｍｉｔ  ａｎｔｅｎｎａ）と複数の受信アンテナ（ｒｅｃｅｉｖｅ  ａｎｔｅｎｎａ）を使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。
【００２２】
以下、送信アンテナは、一つの信号またはストリームを送信するために使われる物理的または論理的アンテナを意味し、受信アンテナは、一つの信号またはストリームを受信するために使われる物理的または論理的アンテナを意味する。
【００２３】
図２は、３ＧＰＰ  ＬＴＥにおける無線フレーム（ｒａｄｉｏ  ｆｒａｍｅ）の構造を示す。
【００２４】
これは３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の５節を参照することができる。図２を参照すると、無線フレームは１０個のサブフレーム（ｓｕｂｆｒａｍｅ）で構成され、一つのサブフレームは２個のスロット（ｓｌｏｔ）で構成される。無線フレーム内のスロットは＃０から＃１９までのスロット番号が付けられる。一つのサブフレームの送信にかかる時間をＴＴＩ（Ｔｒａｎｓｍｉｓｓｉｏｎ  Ｔｉｍｅ  Ｉｎｔｅｒｖａｌ）という。ＴＴＩは、データ送信のためのスケジューリング単位を意味する。例えば、一つの無線フレームの長さは１０ｍｓであり、一つのサブフレームの長さは１ｍｓであり、一つのスロットの長さは０．５ｍｓである。
【００２５】
一つのスロットは、時間領域（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数の副搬送波を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によって他の名称で呼ばれることもある。例えば、アップリンク多重接続方式にＳＣ−ＦＤＭＡが使われる場合、ＳＣ−ＦＤＭＡシンボルということができる。リソースブロック（ＲＢ；Ｒｅｓｏｕｒｃｅ  Ｂｌｏｃｋ）は、リソース割当単位に一つのスロットで複数の連続する副搬送波を含む。前記無線フレームの構造は一例に過ぎない。従って、無線フレームに含まれるサブフレームの個数やサブフレームに含まれるスロットの個数、またはスロットに含まれるＯＦＤＭシンボルの個数は、多様に変更されることができる。
【００２６】
３ＧＰＰ  ＬＴＥでは、ノーマル（ｎｏｒｍａｌ）サイクリックプレフィックス（ＣＰ；Ｃｙｃｌｉｃ  Ｐｒｅｆｉｘ）で一つのスロットは７個のＯＦＤＭシンボルを含み、拡張（ｅｘｔｅｎｄｅｄ）ＣＰで一つのスロットは６個のＯＦＤＭシンボルを含むと定義している。
【００２７】
図３は、一つのダウンリンクスロットに対するリソースグリッド（ｒｅｓｏｕｒｃｅ  ｇｒｉｄ）の一例を示す。
【００２８】
ダウンリンクスロットは、時間領域で複数のＯＦＤＭシンボルを含み、周波数領域でＮＲＢ個のリソースブロックを含む。ダウンリンクスロットに含まれるリソースブロックの数ＮＲＢは、セルで設定されるダウンリンク送信帯域幅（ｂａｎｄｗｉｄｔｈ）に従属する。例えば、ＬＴＥシステムにおけるＮＲＢは、６０〜１１０のうちいずれか一つである。一つのリソースブロックは、周波数領域で複数の副搬送波を含む。アップリンクスロットの構造も前記ダウンリンクスロットの構造と同じである。
【００２９】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は周波数領域内の副搬送波インデックスであり、ｌ（ｌ＝０，．．．，６）は時間領域内のＯＦＤＭシンボルインデックスである。
【００３０】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。例えば、ノーマルＣＰの場合、ＯＦＤＭシンボルの数は７であり、拡張されたＣＰの場合、ＯＦＤＭシンボルの数は６である。一つのＯＦＤＭシンボルで副搬送波の数は、１２８、２５６、５１２、１０２４、１５３６、及び２０４８うち一つを選定して使用することができる。
【００３１】
図４は、ダウンリンクサブフレームの構造を示す。
【００３２】
ダウンリンクサブフレームは時間領域で２個のスロットを含み、各スロットはノーマルＣＰで７個のＯＦＤＭシンボルを含む。サブフレーム内の第１のスロットの前方部の最大３ＯＦＤＭシンボル（１．４Ｍｈｚ帯域幅に対しては最大４ＯＦＤＭシンボル）は制御チャネルが割り当てられる制御領域（ｃｏｎｔｒｏｌ  ｒｅｇｉｏｎ）であり、残りのＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。
【００３３】
ＰＤＣＣＨは、ＤＬ−ＳＣＨ（Ｄｏｗｎｌｉｎｋ−Ｓｈａｒｅｄ  Ｃｈａｎｎｅｌ）のリソース割当及び送信フォーマット、ＵＬ−ＳＣＨ（Ｕｐｌｉｎｋ  Ｓｈａｒｅｄ  Ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集合、及びＶｏＩＰ（Ｖｏｉｃｅ  ｏｖｅｒ  Ｉｎｔｅｒｎｅｔ  Ｐｒｏｔｏｃｏｌ）の活性化などを運ぶことができる。複数のＰＤＣＣＨが制御領域内で送信されることができ、端末は複数のＰＤＣＣＨをモニタリングすることができる。ＰＤＣＣＨは、一つまたは複数個の連続的なＣＣＥ（Ｃｏｎｔｒｏｌ  Ｃｈａｎｎｅｌ  Ｅｌｅｍｅｎｔｓ）の集合（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関係によってＰＤＣＣＨのフォーマット及び可能なＰＤＣＣＨのビット数が決定される。
【００３４】
基地局は、端末に送ろうとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有な識別子（ＲＮＴＩ；Ｒａｄｉｏ  Ｎｅｔｗｏｒｋ  Ｔｅｍｐｏｒａｒｙ  Ｉｄｅｎｔｉｆｉｅｒ）がマスキングされる。特定端末のためのＰＤＣＣＨの場合、端末の固有識別子、例えば、Ｃ−ＲＮＴＩ（Ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（Ｐａｇｉｎｇ−ＲＮＴＩ）がＣＲＣにマスキングされることができる。システム情報（ＳＩＢ；Ｓｙｓｔｅｍ  Ｉｎｆｏｒｍａｔｉｏｎ  Ｂｌｏｃｋ）のためのＰＤＣＣＨの場合、システム情報識別子、ＳＩ−ＲＮＴＩ（Ｓｙｓｔｅｍ  Ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するためにＲＡ−ＲＮＴＩ（Ｒａｎｄｏｍ  Ａｃｃｅｓｓ−ＲＮＴＩ）がＣＲＣにマスキングされることができる。
【００３５】
図５は、アップリンクサブフレームの構造を示す。
【００３６】
アップリンクサブフレームは、周波数領域で制御領域とデータ領域に分けられることができる。前記制御領域は、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。前記データ領域は、データが送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波（ｓｉｎｇｌｅ  ｃａｒｒｉｅｒ）の特性を維持するために、端末は、ＰＵＣＣＨとＰＵＳＣＨを同時に送信しない。
【００３７】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピングされた（ｆｒｅｑｕｅｎｃｙ−ｈｏｐｐｅｄ）という。端末がアップリンク制御情報を時間によって互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００３８】
ＰＵＣＣＨ上に送信されるアップリンク制御情報には、ＨＡＲＱ（Ｈｙｂｒｉｄ  Ａｕｔｏｍａｔｉｃ  Ｒｅｐｅａｔ  ｒｅＱｕｅｓｔ）ＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）、ダウンリンクチャネル状態を示すＣＱＩ（Ｃｈａｎｎｅｌ  Ｑｕａｌｉｔｙ  Ｉｎｄｉｃａｔｏｒ）、アップリンク無線リソース割当要求であるＳＲ（Ｓｃｈｅｄｕｌｉｎｇ  Ｒｅｑｕｅｓｔ）などがある。
【００３９】
ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックはユーザ情報である。または、アップリンクデータは多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（Ｐｒｅｃｏｄｉｎｇ  Ｍａｔｒｉｘ  Ｉｎｄｉｃａｔｏｒ）、ＨＡＲＱ、ＲＩ（Ｒａｎｋ  Ｉｎｄｉｃａｔｏｒ）などがある。または、アップリンクデータは制御情報のみで構成されることもできる。
【００４０】
ＬＴＥ−Ａシステムにおけるアップリンクは、ＳＣ−ＦＤＭＡ送信方式を適用する。ＤＦＴ拡散（ｓｐｒｅａｄｉｎｇ）後、ＩＦＦＴが実行される送信方式をＳＣ−ＦＤＭＡという。ＳＣ−ＦＤＭＡは、ＤＦＴ−ｓ  ＯＦＤＭ（ＤＦＴ−ｓｐｒｅａｄ  ＯＦＤＭ）と呼ばれることもある。ＳＣ−ＦＤＭＡではＰＡＰＲ（ｐｅａｋ−ｔｏ−ａｖｅｒａｇｅ  ｐｏｗｅｒ  ｒａｔｉｏ）またはＣＭ（ｃｕｂｉｃ  ｍｅｔｒｉｃ）が低くなることができる。ＳＣ−ＦＤＭＡ送信方式を用いる場合、電力増幅器（ｐｏｗｅｒ  ａｍｐｌｉｆｉｅｒ）の非線形（ｎｏｎ−ｌｉｎｅａｒ）歪曲区間を避けることができるため、電力消耗が制限された端末で送信電力効率が高まることができる。これによって、ユーザスループット（ｕｓｅｒ  ｔｈｒｏｕｇｈｐｕｔ）が高まることができる。
【００４１】
図６は、ＳＣ−ＦＤＭＡシステムで送信機構造の一例を示す。
【００４２】
図６を参照すると、送信機５０は、ＤＦＴ（Ｄｉｓｃｒｅｔｅ  Ｆｏｕｒｉｅｒ  Ｔｒａｎｓｆｏｒｍ）部５１、副搬送波マッパ５２、ＩＦＦＴ（Ｉｎｖｅｒｓｅ  Ｆａｓｔ  Ｆｏｕｒｉｅｒ  Ｔｒａｎｓｆｏｒｍ）部５３、及びＣＰ挿入部５４を含む。送信機５０は、スクランブルユニット（ｓｃｒａｍｂｌｅ  ｕｎｉｔ）（図示せず）、モジュレイションマッパ（ｍｏｄｕｌａｔｉｏｎ  ｍａｐｐｅｒ）（図示せず）、レイヤマッパ（ｌａｙｅｒ  ｍａｐｐｅｒ）（図示せず）、及びレイヤパーミュテイタ（ｌａｙｅｒ  ｐｅｒｍｕｔａｔｏｒ）（図示せず）を含むことができ、これはＤＦＴ部５１の以前に配置されることができる。
【００４３】
ＤＦＴ部５１は、入力されるシンボルにＤＦＴを実行して複素数シンボル（ｃｏｍｐｌｅｘ−ｖａｌｕｅｄ  ｓｙｍｂｏｌ）を出力する。例えば、Ｎｔｘシンボルが入力されると（但し、Ｎｔｘは自然数）、ＤＦＴ大きさ（ｓｉｚｅ）はＮｔｘである。ＤＦＴ部５１は、変換プリコーダ（ｔｒａｎｓｆｏｒｍ  ｐｒｅｃｏｄｅｒ）と呼ばれることができる。副搬送波マッパ５２は、前記複素数シンボルを周波数領域の各副搬送波にマッピングさせる。前記複素数シンボルは、データ送信のために割り当てられたリソースブロックに対応するリソース要素にマッピングされることができる。副搬送波マッパ５２は、リソースマッパ（ｒｅｓｏｕｒｃｅ  ｅｌｅｍｅｎｔ  ｍａｐｐｅｒ）と呼ばれることができる。ＩＦＦＴ部５３は、入力されるシンボルに対してＩＦＦＴを実行し、時間領域信号であるデータのための基本帯域（ｂａｓｅｂａｎｄ）信号を出力する。ＣＰ挿入部５４は、データのための基本帯域信号の後部の一部を複写し、データのための基本帯域信号の前部に挿入する。ＣＰ挿入を介してＩＳＩ（Ｉｎｔｅｒ−Ｓｙｍｂｏｌ  Ｉｎｔｅｒｆｅｒｅｎｃｅ）、ＩＣＩ（Ｉｎｔｅｒ−Ｃａｒｒｉｅｒ  Ｉｎｔｅｒｆｅｒｅｎｃｅ）が防止されるため多重経路チャネルでも直交性が維持されることができる。
【００４４】
図７は、副搬送波マッパが複素数シンボルを周波数領域の各副搬送波にマッピングする方式の一例を示す。
【００４５】
図７−（ａ）を参照すると、副搬送波マッパは、ＤＦＴ部から出力された複素数シンボルを周波数領域で連続される副搬送波にマッピングする。複素数シンボルがマッピングされない副搬送波には‘０’が挿入される。これを集中型マッピング（ｌｏｃａｌｉｚｅｄ  ｍａｐｐｉｎｇ）という。３ＧＰＰ  ＬＴＥシステムでは集中型マッピング方式が使われる。図７−（ｂ）を参照すると、副搬送波マッパは、ＤＦＴ部から出力された連続される２個の複素数シンボルの間毎にＬ−１個の‘０’を挿入する（Ｌは自然数）。即ち、ＤＦＴ部から出力された複素数シンボルは、周波数領域で等間隔に分散される副搬送波にマッピングされる。これを分散型マッピング（ｄｉｓｔｒｉｂｕｔｅｄ  ｍａｐｐｉｎｇ）という。副搬送波マッパが図７−（ａ）のように集中型マッピング方式、または図７−（ｂ）のように分散型マッピング方式を使用する場合、単一搬送波特性が維持される。
【００４６】
クラスタ化された（ｃｌｕｓｔｅｒｅｄ）ＤＦＴ−ｓ  ＯＦＤＭ送信方式は、既存のＳＣ−ＦＤＭＡ送信方式の変形であり、プリコーダを経るデータシンボルを複数のサブブロックに分け、これを周波数領域で互いに分離させてマッピングする方法である。
【００４７】
図８は、クラスタ化されたＤＦＴ−ｓ  ＯＦＤＭ送信方式を適用した送信機の一例である。
【００４８】
図８を参照すると、送信機７０は、ＤＦＴ部７１、副搬送波マッパ７２、ＩＦＦＴ部７３、及びＣＰ挿入部７４を含む。送信機７０は、スクランブルユニット（図示せず）、モジュレイションマッパ（図示せず）、レイヤマッパ（図示せず）、及びレイヤパーミュテイタ（図示せず）をさらに含むことができ、これはＤＦＴ部７１の以前に配置されることができる。
【００４９】
ＤＦＴ部７１から出力される複素数シンボルは、Ｎ個のサブブロックに分けられる（Ｎは自然数）。Ｎ個のサブブロックは、サブブロック＃１、サブブロック＃２，．．．，サブブロック＃Ｎで表すことができる。副搬送波マッパ７２は、Ｎ個のサブブロックを周波数領域で分散させて副搬送波にマッピングする。連続される２個のサブブロックの間毎にＮＵＬＬが挿入されることができる。一つのサブブロック内の複素数シンボルは、周波数領域で連続される副搬送波にマッピングされることができる。即ち、一つのサブブロック内では集中型マッピング方式が使われることができる。
【００５０】
図８の送信機７０は、単一搬送波（ｓｉｎｇｌｅ  ｃａｒｒｉｅｒ）送信機または多重搬送波（ｍｕｌｔｉ−ｃａｒｒｉｅｒ）送信機の両方ともに使われることができる。単一搬送波送信機に使われる場合、Ｎ個のサブブロックの全てが一つの搬送波に対応される。多重搬送波送信機に使われる場合、Ｎ個のサブブロックのうち各々のサブブロック毎に一つの搬送波に対応されることができる。または、多重搬送波送信機に使われる場合にも、Ｎ個のサブブロックのうち複数のサブブロックは一つの搬送波に対応されることもできる。一方、図８の送信機７０で一つのＩＦＦＴ部７３を介して時間領域信号が生成される。従って、図８の送信機７０が多重搬送波送信機に使われるためには、連続される搬送波割当（ｃｏｎｔｉｇｕｏｕｓ  ｃａｒｒｉｅｒ  ａｌｌｏｃａｔｉｏｎ）状況で隣接する搬送波間副搬送波間隔が整列（ａｌｉｇｎｍｅｎｔ）されなければならない。
【００５１】
図９は、クラスタ化されたＤＦＴ−ｓ  ＯＦＤＭ送信方式を適用した送信機の他の例である。
【００５２】
図９を参照すると、送信機８０は、ＤＦＴ部８１、副搬送波マッパ８２、複数のＩＦＦＴ部８３−１，８３−２，．．．，８３−Ｎ（Ｎは自然数）、及びＣＰ挿入部８４を含む。送信機８０は、スクランブルユニット（図示せず）、モジュレイションマッパ（図示せず）、レイヤマッパ（図示せず）、及びレイヤパーミュテイタ（図示せず）をさらに含むことができ、これはＤＦＴ部８１の以前に配置されることができる。
【００５３】
Ｎ個のサブブロックのうち各々のサブブロックに対して個別的にＩＦＦＴが実行される。第ｎのＩＦＦＴ部８３−Ｎは、サブブロック＃ｎにＩＦＦＴを実行し、第ｎの基本帯域信号を出力する（ｎ＝１，２，．．．，Ｎ）。第ｎの基本帯域信号に第ｎの搬送波信号がかけられると、第ｎの無線信号が生成される。Ｎ個のサブブロックから生成されたＮ個の無線信号は加えられた後、ＣＰ挿入部８４によりＣＰが挿入される。図９の送信機８０は、送信機が割当を受けた搬送波が隣接しない非連続される搬送波割当（ｎｏｎ−ｃｏｎｔｉｇｕｏｕｓ  ｃａｒｒｉｅｒ  ａｌｌｏｃａｔｉｏｎ）状況で使われることができる。
【００５４】
図１０は、クラスタ化されたＤＦＴ−ｓ  ＯＦＤＭ送信方式を適用した送信機の他の例である。
【００５５】
図１０は、チャンク（ｃｈｕｎｋ）単位にＤＦＴプリコーディングを実行するチャンク特定ＤＦＴ−ｓ  ＯＦＤＭシステムである。これはＮｘ  ＳＣ−ＦＤＭＡと呼ばれることができる。図１０を参照すると、送信機９０は、コードブロック分割部９１、チャンク（ｃｈｕｎｋ）分割部９２、複数のチャネルコーディング部９３−１，．．．，９３−Ｎ、複数の変調器９４−１，．．．，９４−Ｎ、複数のＤＦＴ部９５−１，．．．，９５−Ｎ、複数の副搬送波マッパ９６−１，．．．，９６−Ｎ、複数のＩＦＦＴ部９７−１，．．．，９７−Ｎ、及びＣＰ挿入部９８を含む。ここで、Ｎは、多重搬送波送信機が使用する多重搬送波の個数である。チャネルコーディング部９３−１，．．．，９３−Ｎの各々は、スクランブルユニット（図示せず）を含むことができる。変調器９４−１，．．．，９４−Ｎは、モジュレイションマッパと呼ばれることもある。送信機９０は、レイヤマッパ（図示せず）及びレイヤパーミュテイタ（図示せず）をさらに含むことができ、これはＤＦＴ部９５−１，．．．，９５−Ｎの以前に配置されることができる。
【００５６】
コードブロック分割部９１は、トランスポートブロックを複数のコードブロックに分割する。チャンク分割部９２は、コードブロックを複数のチャンクに分割する。ここで、コードブロックは、多重搬送波送信機から送信されるデータであり、チャンクは、多重搬送波のうち一つの搬送波を介して送信されるデータ断片である。送信機９０は、チャンク単位にＤＦＴを実行する。送信機９０は、非連続される搬送波割当状況または連続される搬送波割当状況で使われることができる。
【００５７】
以下、アップリンク参照信号に対して説明する。
【００５８】
参照信号は、一般的にシーケンスに送信される。参照信号シーケンスは、特別な制限無しに任意のシーケンスが使われることができる。参照信号シーケンスは、ＰＳＫ（Ｐｈａｓｅ  Ｓｈｉｆｔ  Ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）などがある。または、参照信号シーケンスは、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは、循環シフトされたシーケンス（ｃｙｃｌｉｃａｌｌｙ  ｓｈｉｆｔｅｄ  ｓｅｑｕｅｎｃｅ）を用いることができる。
【００５９】
アップリンク参照信号は、復調参照信号（ＤＭＲＳ；Ｄｅｍｏｄｕｌａｔｉｏｎ  Ｒｅｆｅｒｅｎｃｅ  Ｓｉｇｎａｌ）とサウンディング参照信号（ＳＲＳ；Ｓｏｕｎｄｉｎｇ  Ｒｅｆｅｒｅｎｃｅ  Ｓｉｇｎａｌ）に区分されることができる。ＤＭＲＳは、受信された信号の復調のためのチャネル推定に使われる参照信号である。ＤＭＲＳは、ＰＵＳＣＨまたはＰＵＣＣＨの送信と結合されることができる。ＳＲＳは、アップリンクスケジューリングのために端末が基地局に送信する参照信号である。基地局は、受信されたサウンディング参照信号を介してアップリンクチャネルを推定し、推定されたアップリンクチャネルをアップリンクスケジューリングに用いる。ＳＲＳは、ＰＵＳＣＨまたはＰＵＣＣＨの送信と結合されない。ＤＭＲＳとＳＲＳのために同じ種類の基本シーケンスが使われることができる。一方、アップリンク多重アンテナ送信でＤＭＲＳに適用されたプリコーディングは、ＰＵＳＣＨに適用されたプリコーディングと同じである。循環シフト分離（ｃｙｃｌｉｃ  ｓｈｉｆｔ  ｓｅｐａｒａｔｉｏｎ）は、ＤＭＲＳを多重化する基本技法（ｐｒｉｍａｒｙ  ｓｃｈｅｍｅ）である。ＬＴＥ−ＡシステムにおけるＳＲＳは、プリコーディングされなくてもよく、アンテナ特定された参照信号であってもよい。
【００６０】
参照信号シーケンスｒｕ，ｖ（α）（ｎ）は、数式１により基本シーケンスｂｕ，ｖ（ｎ）と循環シフトαに基づいて定義されることができる。
【００６１】
【化２】
0005529973.tif 000003
数式１で、ＭｓｃＲＳ（１≦ｍ≦ＮＲＢｍａｘ，ＵＬ）は参照信号シーケンスの長さであり、ＭｓｃＲＳ＝ｍ＊ＮｓｃＲＢである。ＮｓｃＲＢは、周波数領域で副搬送波の個数で表すリソースブロックの大きさを示し、ＮＲＢｍａｘ，ＵＬは、ＮｓｃＲＢの倍数で表すアップリンク帯域幅の最大値を示す。複数の参照信号シーケンスは、一つの基本シーケンスから循環シフト値であるαを異なるように適用して定義されることができる。
【００６２】
基本シーケンスｂｕ，ｖ（ｎ）は複数のグループに分けられ、この時、ｕ∈｛０，１，．．．，２９｝はグループインデックスを示し、ｖはグループ内で基本シーケンスインデックスを示す。基本シーケンスは基本シーケンスの長さ（ＭｓｃＲＳ）に依存する。各グループは、１≦ｍ≦５であるｍに対して長さがＭｓｃＲＳである一つの基本シーケンス（ｖ＝０）を含み、６≦ｍ≦ｎＲＢｍａｘ，ＵＬであるｍに対しては長さがＭｓｃＲＳである２個の基本シーケンス（ｖ＝０，１）を含む。シーケンスグループインデックスｕとグループ内の基本シーケンスインデックスｖは、後述するグループホッピング（ｇｒｏｕｐ  ｈｏｐｐｉｎｇ）またはシーケンスホッピング（ｓｅｑｕｅｎｃｅ  ｈｏｐｐｉｎｇ）のように時間によって変わることができる。
【００６３】
また、参照信号シーケンスの長さが３ＮｓｃＲＢまたはその以上である場合、基本シーケンスは、数式２により定義されることができる。
【００６４】
【化３】
0005529973.tif 000004
数式２で、ｑはＺＣ（Ｚａｄｏｆｆ−Ｃｈｕ）シーケンスのルートインデックス（ｒｏｏｔ  ｉｎｄｅｘ）を示す。ＮＺＣＲＳはＺＣシーケンスの長さであり、ＭｓｃＲＳより小さい最大素数（ｐｒｉｍｅ  ｎｕｍｂｅｒ）として与えられることができる。ルートインデックスｑであるＺＣシーケンスは、数式３により定義されることができる。
【００６５】
【化４】
0005529973.tif 000005
ｑは、数式４により与えられることができる。
【００６６】
【化５】
0005529973.tif 000006
参照信号シーケンスの長さが３ＮｓｃＲＢ以下である場合、基本シーケンスは、数式５により定義されることができる。
【００６７】
【化６】
0005529973.tif 000007
表１は、ＭｓｃＲＳ＝ＮｓｃＲＢの時、φ（ｎ）を定義した例示である。
【００６８】
【表１】
0005529973.tif 000008
表２は、ＭｓｃＲＳ＝２＊ＮｓｃＲＢの時、φ（ｎ）を定義した例示である。
【００６９】
【表２】
0005529973.tif 000009
参照信号のホッピングは、次のように適用されることができる。
【００７０】
スロットインデックスｎｓのシーケンスグループインデックスｕは、数式６によりグループホッピングパターンｆｇｈ（ｎｓ）とシーケンスシフトパターンｆｓｓに基づいて定義されることができる。
【００７１】
【化７】
0005529973.tif 000010
１７個の互いに異なるグループホッピングパターンと３０個の互いに異なるシーケンスシフトパターンが存在することができる。グループホッピングの適用可否は、上位階層により指示されることができる。
【００７２】
ＰＵＣＣＨとＰＵＳＣＨは、同じグループホッピングパターンを有することができる。グループホッピングパターンｆｇｈ（ｎｓ）は、数式７により定義されることができる。
【００７３】
【化８】
0005529973.tif 000011
数式７で、ｃ（ｉ）は、ＰＮシーケンスである疑似任意シーケンス（ｐｓｅｕｄｏ−ｒａｎｄｏｍ  ｓｅｑｕｅｎｃｅ）であり、長さ−３１のゴールド（Ｇｏｌｄ）シーケンスにより定義されることができる。数式８は、ゴールドシーケンスｃ（ｎ）の一例を示す。
【００７４】
【化９】
0005529973.tif 000012
数式８で、Ｎｃ＝１６００であり、ｘ１（ｉ）は第１のｍ−シーケンスであり、ｘ２（ｉ）は第２のｍ−シーケンスである。例えば、第１のｍ−シーケンスまたは第２のｍ−シーケンスは、ＯＦＤＭシンボル毎にセルＩＤ、一つの無線フレーム内のスロット番号、スロット内のＯＦＤＭシンボルインデックス、ＣＰの種類などによって初期化（ｉｎｉｔｉａｌｉｚａｔｉｏｎ）されることができる。疑似任意シーケンス生成器は、各無線フレームのはじめで
【００７５】
【化１０】
0005529973.tif 000013
として初期化されることができる。
ＰＵＣＣＨとＰＵＳＣＨは、異なるシーケンスシフトパターンを有することができる。ＰＵＣＣＨのシーケンスシフトパターンｆｓｓＰＵＣＣＨ＝ＮＩＤｃｅｌｌｍｏｄ３０として与えられることができる。ＰＵＳＣＨのシーケンスシフトパターンｆｓｓＰＵＳＣＨ＝（ｆｓｓＰＵＣＣＨ＋Δｓｓ）ｍｏｄ３０として与えられることができ、Δｓｓ∈｛０，１，．．．，２９｝は上位階層により構成されることができる。
【００７６】
シーケンスホッピングは、長さが６ＮｓｃＲＢより長い参照信号シーケンスにのみ適用されることができる。この時、スロットインデックスｎｓの基本シーケンスグループ内の基本シーケンスインデックスｖは、数式９により定義されることができる。
【００７７】
【化１１】
0005529973.tif 000014
ｃ（ｉ）は、数式７の例示により表現されることができ、シーケンスホッピングの適用可否は、上位階層により指示されることができる。疑似任意シーケンス生成器は、各無線フレームのはじめで
【００７８】
【化１２】
0005529973.tif 000015
として初期化されることができる。
【００７９】
ＰＵＳＣＨのためのＤＭＲＳシーケンスは、数式１０により定義されることができる。
【００８０】
【化１３】
0005529973.tif 000016
数式１０で、ｍ＝０，１，…であり、ｎ＝０，．．．，ＭｓｃＲＳ−１である。ＭｓｃＲＳ＝ＭｓｃＰＵＳＣＨである。
【００８１】
スロット内で循環シフト値であるα＝２πｎｃｓ／１２として与えられ、ｎｃｓは、数式１１により定義されることができる。
【００８２】
【化１４】
0005529973.tif 000017
数式１１で、ｎＤＭＲＳ（１）は、上位階層で送信されるパラメータにより指示され、表３は、前記パラメータとｎＤＭＲＳ（１）の対応関係の例示を示す。
【００８３】
【表３】
0005529973.tif 000018
また、数式１１で、ｎＤＭＲＳ（２）は、ＰＵＳＣＨ送信に対応されるトランスポートブロックのためのＤＣＩフォーマット０内の循環シフトフィールド（ｃｙｃｌｉｃ  ｓｈｉｆｔ  ｆｉｅｌｄ）により定義されることができる。ＤＣＩフォーマットは、ＰＤＣＣＨで送信される。前記循環シフトフィールドは、３ビットの長さを有することができる。
【００８４】
表４は、前記循環シフトフィールドとｎＤＭＲＳ（２）の対応関係の一例である。
【００８５】
【表４】
0005529973.tif 000019
表５は、前記循環シフトフィールドとｎＤＭＲＳ（２）の対応関係の他の例である。
【００８６】
【表５】
0005529973.tif 000020
同じトランスポートブロックでＤＣＩフォーマット０を含むＰＤＣＣＨが送信されない場合、同じトランスポートブロックで最初のＰＵＳＣＨが半永久的（ｓｅｍｉ−ｐｅｒｓｉｓｔｅｎｔｌｙ）にスケジューリングされる場合、または同じトランスポートブロックで最初のＰＵＳＣＨが任意接続応答グラント（ｒａｎｄｏｍ  ａｃｃｅｓｓ  ｒｅｓｐｏｎｓｅ  ｇｒａｎｔ）によりスケジューリングされた場合にｎＤＭＲＳ（２）は０である。
【００８７】
前記ＤＣＩフォーマット０内の循環シフトフィールドは、表６によりＰＨＩＣＨがマッピングされるリソースの決定に使われるｎＤＭＲＳを指示することができる。前記ｎＤＭＲＳは、ＰＨＩＣＨがマッピングされるリソースのオフセットを決定することができる。
【００８８】
【表６】
0005529973.tif 000021
同じトランスポートブロックでＤＣＩフォーマット０を含むＰＤＣＣＨが送信されない場合、同じトランスポートブロックで最初のＰＵＳＣＨが半永久的（ｓｅｍｉ−ｐｅｒｓｉｓｔｅｎｔｌｙ）にスケジューリングされる場合、または同じトランスポートブロックで最初のＰＵＳＣＨが任意接続応答グラント（ｒａｎｄｏｍ  ａｃｃｅｓｓ  ｒｅｓｐｏｎｓｅ  ｇｒａｎｔ）によりスケジューリングされた場合にｎＤＭＲＳは０である。
【００８９】
また、数式１１で、ｎＰＲＳ（ｎｓ）は、数式１２により定義されることができる。
【００９０】
【化１５】
0005529973.tif 000022
ｃ（ｉ）は、数式７の例示により表現されることができ、ｃ（ｉ）のセル別に（ｃｅｌｌ−ｓｐｅｃｆｉｃ）適用されることができる。疑似任意シーケンス生成器は、各無線フレームのはじめで
【００９１】
【化１６】
0005529973.tif 000023
として初期化されることができる。
【００９２】
ＤＭＲＳシーケンスｒＰＵＳＣＨは、振幅スケーリング因子（ａｍｐｌｉｔｕｄｅ  ｓｃａｌｉｎｇ  ｆａｃｔｏｒ）βＰＵＳＣＨとかけられ、該当するＰＵＳＣＨ送信に使われる物理トランスポートブロックにｒＰＵＳＣＨ（０）から始めてシーケンスでマッピングされる。前記ＤＭＲＳシーケンスは、一つのスロット内でノーマルＣＰである場合、４番目のＯＦＤＭシンボル（ＯＦＤＭシンボルインデックス３）、拡張ＣＰである場合、３番目のＯＦＤＭシンボル（ＯＦＤＭシンボルインデックス２）にマッピングされる。
【００９３】
図１１は、復調のための参照信号送信機の構造の一例を示す。
【００９４】
図１１を参照すると、参照信号送信機６０は、副搬送波マッパ６１、ＩＦＦＴ部６２、及びＣＰ挿入部６３を含む。参照信号送信機６０は、図６の送信機５０と違って、ＤＦＴ部５１を経ずに周波数領域で生成され、副搬送波マッパ６１を介して副搬送波にマッピングされる。この時、副搬送波マッパは、図７−（ａ）の集中型マッピング方式を用いて参照信号を副搬送波にマッピングすることができる。
【００９５】
図１２は、参照信号が送信されるサブフレームの構造の一例である。
【００９６】
図１２−（ａ）のサブフレームの構造は、ノーマルＣＰの場合を示す。サブフレームは第１のスロットと第２のスロットを含む。第１のスロットと第２のスロットの各々は７ＯＦＤＭシンボルを含む。サブフレーム内の１４ＯＦＤＭシンボルは０から１３までのシンボルインデックスが付けられる。シンボルインデックスが３及び１０であるＯＦＤＭシンボルを介して参照信号が送信されることができる。参照信号が送信されるＯＦＤＭシンボルを除いた残りのＯＦＤＭシンボルを介してデータが送信されることができる。図１２−（ｂ）のサブフレームの構造は、拡張ＣＰの場合を示す。サブフレームは第１のスロットと第２のスロットを含む。第１のスロットと第２のスロットの各々は６ＯＦＤＭシンボルを含む。サブフレーム内の１２ＯＦＤＭシンボルは０から１１までのシンボルインデックスが付けられる。シンボルインデックスが２及び８であるＯＦＤＭシンボルを介して参照信号が送信される。参照信号が送信されるＯＦＤＭシンボルを除いた残りのＯＦＤＭシンボルを介してデータが送信される。図１２に示されていないが、サブフレーム内のＯＦＤＭシンボルを介してサウンディング参照信号（ＳＲＳ；Ｓｏｕｎｄｉｎｇ  Ｒｅｆｅｒｅｎｃｅ  Ｓｉｇｎａｌ）が送信されることもできる。
【００９７】
一方、参照信号シーケンスにＯＣＣ（Ｏｒｔｈｏｇｏｎａｌ  Ｃｏｄｅ  Ｃｏｖｅｒ）が適用されることができる。ＯＣＣは、互いに直交性（ｏｒｔｈｇｏｎａｌｉｔｙ）を有し、且つシーケンスに適用されることができるコードを意味する。一般的に、レイヤまたはユーザ間に参照信号を多重化するために循環シフト値が異なる参照信号シーケンスが使われることができるが、多重化程度を増加させ、レイヤ間またはユーザ間の干渉を減らすためにＯＣＣが適用されることができる。
【００９８】
図１３は、参照信号にＯＣＣが適用される一例を示す。
【００９９】
一つのサブフレーム内で、レイヤ０に対する参照信号シーケンスとレイヤ１に対する参照信号シーケンスの両方ともは、第１のスロットの４番目のＯＦＤＭシンボルと第２のスロットの４番目のＯＦＤＭシンボルにマッピングされる。各レイヤで２個のＯＦＤＭシンボルに同じシーケンスがマッピングされる。この時、レイヤ０に対する参照信号シーケンスは、［＋１  ＋１］の直交シーケンスがかけられてＯＦＤＭシンボルにマッピングされる。レイヤ１に対する参照信号シーケンスは、［＋１  −１］の直交シーケンスがかけられてＯＦＤＭシンボルにマッピングされる。即ち、レイヤ１に対する参照信号シーケンスが一つのサブフレーム内で第２のスロットにマッピングされる時、−１がかけられてマッピングされる。
【０１００】
前記のようにＯＣＣが適用される場合、参照信号を受信する基地局は、第１のスロットで送信される参照信号シーケンスと第２のスロットで送信される参照信号シーケンスとを加え、レイヤ０のチャネルを推定することができる。また、基地局は、第１のスロットで送信される参照信号シーケンスから第２のスロットで送信される参照信号シーケンスを引くことによって、レイヤ１のチャネルを推定することができる。即ち、ＯＣＣを適用することによって、基地局は各レイヤで送信される参照信号を区分することができる。従って、同じリソースを使用して複数の参照信号を送信することができる。もし、可能な循環シフトの値が６個である場合、前記のＯＣＣを適用して多重化することができるレイヤまたはユーザの個数を１２個まで増加させることができる。
【０１０１】
本例では［＋１  ＋１］または［＋１または−１］の二進フォーマット（ｂｉｎａｒｙ  ｆｏｒｍａｔ）がＯＣＣとして使われることを仮定するが、これに限定されるものではなく、多様な種類の直交シーケンスがＯＣＣとして使われることができる。
【０１０２】
また、ＯＣＣを適用することによって互いに異なる帯域幅を有するユーザ間に参照信号がより容易に多重化されることができる。
【０１０３】
図１４は、ＯＣＣを適用して互いに異なる帯域幅を有する２個の端末で送信される参照信号が多重化される一例を示す。
【０１０４】
第１の端末と第２の端末は、各々異なる帯域幅に参照信号を送信する。第１の端末（ＵＥ＃０）は第１の帯域幅（ＢＷ０）を介して参照信号を送信し、第２の端末（ＵＥ＃１）は第２の帯域幅（ＢＷ１）を介して参照信号を送信する。第１の端末が送信する参照信号は、第１のスロットと第２のスロットで各々［＋１  ＋１］の直交シーケンスとかけられる。第２の端末が送信する参照信号は、第１のスロットと第２のスロットで各々［＋１  −１］の直交シーケンスとかけられる。これによって、第１の端末と第２の端末から参照信号を受信する基地局は、二つの端末を区分して各々チャネル推定を実行することができる。
【０１０５】
以下、ＭＩＭＯ（Ｍｕｌｔｉｐｌｅ−Ｉｎｐｕｔ  Ｍｕｌｔｉｐｌｅ−Ｏｕｔｐｕｔ）に対して説明する。ＭＩＭＯ技法は、大きくＰＡＲＣ（Ｐｅｒ−Ａｎｔｅｎｎａ  Ｒａｔｅ  Ｃｏｎｔｒｏｌ）とＰＵ２ＲＣ（Ｐｅｒ−Ｕｓｅｒ  Ｕｎｉｔａｒｙ  Ｒａｔｅ  Ｃｏｎｔｒｏｌ）の二つの方法に区分されることができる。
【０１０６】
図１５は、ＰＡＲＣ技法の一例を示すブロック図である。
【０１０７】
ＰＡＲＣは、基本的な空間多重化（ｓｐａｔｉａｌ  ｍｕｌｔｉｐｌｅｘｉｎｇ）方法を用いてＭＩＭＯを実行する技法である。ＰＡＲＣ技法を介して空間リソースを一つの端末に割り当てることもでき、複数の端末に割り当てることもできる。空間リソースを一つの端末に割り当てる場合に単一ユーザ（ＳＵ；Ｓｉｎｇｌｅ−Ｕｓｅｒ）ＭＩＭＯといい、複数の端末に割り当てる場合に多重ユーザ（ＭＵ；Ｍｕｌｔｉ−Ｕｓｅｒ）ＭＩＭＯという。
【０１０８】
図１５は、ＰＡＲＣ技法をＳＵ−ＭＩＭＯに適用した場合である。３個の端末を仮定する場合、基地局は、前記３個の端末のうち複数のアンテナがデータを送信する一つの端末を選択する。第１の端末が選択された場合、複数のアンテナの各々のストリームに対するＭＣＳ（Ｍｏｄｕｌａｔｉｏｎ  ａｎｄ  Ｃｏｄｉｎｇ  Ｓｃｈｅｍｅ）レベルを決定し、ＯＦＤＭＡ変調器を経て複数のアンテナを介して第１の端末にデータを送信する。各端末は、該当端末の複数のアンテナに対するＣＱＩ（Ｃｈａｎｎｅｌ  Ｑｕａｌｉｔｙ  Ｉｎｄｉｃａｔｏｒ）を各々基地局に送信する。
【０１０９】
図１６は、ＰＵ２ＲＣ技法の一例を示すブロック図である。
【０１１０】
ＰＵ２ＲＣは、コードブック（ｃｏｄｅｂｏｏｋ）に基づいてデータをプリコーディング（ｐｒｅｃｏｄｉｎｇ）して多重ユーザの干渉を減らしてＭＩＭＯを実行する。ステップＳ１００で、基地局は複数の端末に対するストリームをグルーピング（Ｓ１００）して複数のグループストリームを生成し、ステップＳ１０１で生成されたグループストリームをスケジューリング及び多重化（Ｓ１０１）する。基地局は、各グループストリームを該当グループに対応されるプリコーディング行列（ｐｒｅｃｏｄｉｎｇ  ｍａｔｒｉｘ）を用いてプリコーディング（Ｓ１０２）し、複数のアンテナを介して送信する。プリコーディング時、ユニタリコードブック（ｕｎｉｔａｒｙ  ｃｏｄｅｂｏｏｋ）ベースのプリコーディングが使われることができる。各端末は、好みのプリコーディング行列、送信アンテナ、及び各送信アンテナに該当するＣＱＩを基地局にフィードバックし、基地局は、フィードバック情報をスケジューリング時に用いることができる。このように、プリコーディングを使用してＭＩＭＯを実行することによって空間的な多重ユーザ干渉を減らすことができるため、ＭＵ−ＭＩＭＯ環境で高い性能利得を得ることができる。
【０１１１】
一方、３ＧＰＰ  ＬＴＥ−Ａシステムは、搬送波集合（ｃａｒｒｉｅｒ  ａｇｇｒｅｇａｔｉｏｎ）システムをサポートする。搬送波集合システムは、３ＧＰＰ  ＴＲ  ３６．８１５  Ｖ９．０．０（２０１０−３）を参照することができる。
【０１１２】
搬送波集合システムは、無線通信システムが広帯域をサポートしようとする時、目標にする広帯域より小さい帯域幅を有する１個以上の搬送波を集めて広帯域を構成するシステムを意味する。搬送波集合システムは、帯域幅集合（Ｂａｎｄｗｉｄｔｈ  ａｇｇｒｅｇａｔｉｏｎ）システムなど、他の名称で呼ばれることもある。搬送波集合システムは、各搬送波が連続する連続（ｃｏｎｔｉｇｕｏｕｓ）搬送波集合システムと各搬送波が互いに離れている非連続（ｎｏｎ−ｃｏｎｔｉｇｕｏｕｓ）搬送波集合システムとに区分されることができる。連続搬送波集合システムで各搬送波間にガードバンド（ｇｕａｒｄ  ｂａｎｄ）が存在することができる。１個以上の搬送波を集める時、対象となる搬送波は、既存システムとの後方互換性（ｂａｃｋｗａｒｄ  ｃｏｍｐａｔｉｂｉｌｉｔｙ）のために既存システムで使用する帯域幅をそのまま使用することができる。例えば、３ＧＰＰ  ＬＴＥシステムでは１．４ＭＨｚ、３ＭＨｚ、５ＭＨｚ、１０ＭＨｚ、１５ＭＨｚ、及び２０ＭＨｚの帯域幅をサポートし、３ＧＰＰ  ＬＴＥ−Ａシステムでは前記３ＧＰＰ  ＬＴＥシステムの帯域幅のみを用いて２０ＭＨｚ以上の広帯域を構成することができる。または、既存システムの帯域幅をそのまま使用せずに新しい帯域幅を定義して広帯域を構成することもできる。
【０１１３】
搬送波集合システムで、端末は、容量に応じて一つまたは複数の搬送波を同時に送信または受信することができる。ＬＴＥ−Ａ端末は、複数の搬送波を同時に送信または受信することができる。ＬＴＥ  Ｒｅｌ−８端末は、搬送波集合システムを構成する各搬送波がＬＴＥ  Ｒｅｌ−８システムと互換される時、一つの搬送波のみを送信または受信することができる。従って、少なくともアップリンクとダウンリンクで使われる搬送波の個数が同じ場合、全てのコンポーネントキャリアがＬＴＥ  Ｒｅｌ−８システムと互換されるように構成される必要がある。
【０１１４】
複数の搬送波を効率的に使用するために複数の搬送波をＭＡＣ（Ｍｅｄｉａ  Ａｃｃｅｓｓ  Ｃｏｎｔｒｏｌ）で管理することができる。
【０１１５】
図１７は、搬送波集合システムを構成する基地局と端末の一例である。
【０１１６】
図１７−（ａ）の基地局で一つのＭＡＣがｎ個の搬送波の全てを管理及び運営してデータを送受信する。これは図１７−（ｂ）の端末でも同様である。端末の立場でコンポーネントキャリア当たり一つのトランスポートブロック（ｔｒａｎｓｐｏｒｔ  ｂｌｏｃｋ）と一つのＨＡＲＱエンティティ（ｅｎｔｉｔｙ）が存在することができる。端末は、複数の搬送波に対して同時にスケジューリングされることができる。図１８の搬送波集合システムは、連続搬送波集合システムまたは非連続搬送波集合システムの両方ともに適用されることができる。一つのＭＡＣで管理する各々の搬送波は、互いに隣接する必要がないため、リソース管理側面で柔軟であるという長所がある。
【０１１７】
図１８及び図１９は、搬送波集合システムを構成する基地局と端末の他の例である。
【０１１８】
図１８−（ａ）の基地局及び図１８−（ｂ）の端末では一つのＭＡＣが一つの搬送波のみを管理する。即ち、ＭＡＣと搬送波が１対１に対応される。図１９−（ａ）の基地局及び図１９−（ｂ）の端末では、一部搬送波に対してはＭＡＣと搬送波が１対１に対応され、残りの搬送波に対しては一つのＭＡＣが複数の搬送波を制御する。即ち、ＭＡＣと搬送波の対応関係によって多様な組合せが可能である。
【０１１９】
図１７乃至図１９の搬送波集合システムはｎ個の搬送波を含み、各搬送波は互いに隣接してもよく、離れていてもよい。搬送波集合システムは、アップリンクまたはダウンリンクの両方ともに適用されることができる。ＴＤＤシステムでは各々の搬送波がアップリンク送信とダウンリンク送信を実行することができるように構成され、ＦＤＤシステムでは複数の搬送波をアップリンク用とダウンリンク用とに区分して使用することができる。一般的なＴＤＤシステムでアップリンクとダウンリンクで使われるコンポーネントキャリアの個数と各搬送波の帯域幅は同じである。ＦＤＤシステムではアップリンクとダウンリンクで使用する搬送波の数と帯域幅を各々異なるようにすることによって非対称（ａｓｙｍｍｅｔｒｉｃ）搬送波集合システムを構成するのも可能である。
【０１２０】
無線通信システムは、アップリンクまたはダウンリンクＨＡＲＱ（Ｈｙｂｒｉｄ  Ａｕｔｏｍａｔｉｃ  Ｒｅｐｅａｔ  Ｒｅｑｕｅｓｔ）をサポートすることができる。
【０１２１】
図２０は、アップリンクＨＡＲＱを示す。
【０１２２】
端末からＰＵＳＣＨ上にアップリンクデータ１１０を受信した基地局は、一定サブフレームが経過した後にＰＨＩＣＨ上にＡＣＫ／ＮＡＣＫ信号１１１を送信する。ＡＣＫ／ＮＡＣＫ信号１１１は、前記アップリンクデータ１１０が成功的にデコーディングされるとＡＣＫ信号になり、前記アップリンクデータ１１０のデコーディングに失敗するとＮＡＣＫ信号になる。端末は、ＮＡＣＫ信号が受信されると、ＡＣＫ情報が受信されたり最大再送信回数まで前記アップリンクデータ１１０に対する再送信データ１２０を送信することができる。基地局は、再送信データ１２０に対するＡＣＫ／ＮＡＣＫ信号１２１をＰＨＩＣＨ上に送信することができる。
【０１２３】
以下、ＰＨＩＣＨに対して説明する。
【０１２４】
図２１は、ＰＨＩＣＨ上にＡＣＫ／ＮＡＣＫ信号が送信されることを示すブロック図である。
【０１２５】
ＬＴＥシステムでは、アップリンクでＳＵ−ＭＩＭＯをサポートしないため、１個のＰＨＩＣＨは、一つの端末のＰＵＳＣＨ、即ち、単一ストリーム（ｓｉｎｇｌｅ  ｓｔｒｅａｍ）に対する１ビットＡＣＫ／ＮＡＣＫのみを送信する。ステップＳ１３０で、１ビットのＡＣＫ／ＮＡＣＫをコード率（ｃｏｄｅ  ｒａｔｅ）が１／３である繰り返しコードを用いて３ビットにコーディングする。ステップＳ１３１で、コーディングされたＡＣＫ／ＮＡＣＫをＢＰＳＫ（Ｂｉｎａｒｙ  Ｐｈａｓｅ  Ｋｅｙ−Ｓｈｉｆｔｉｎｇ）方式に変調して３個の変調シンボルを生成する。ステップＳ１３２で、前記変調シンボルは、ノーマルＣＰ構造で拡散因子ＳＦ（Ｓｐｒｅａｄｉｎｇ  Ｆａｃｔｏｒ）＝４を用いて拡散され、拡張ＣＰ構造でＳＦ＝２を用いて拡散（ｓｐｒｅａｄｉｎｇ）される。前記変調シンボルを拡散する時、直交シーケンスが使われ、使われる直交シーケンスの個数はＩ／Ｑ多重化（ｍｕｌｔｉｐｌｅｘｉｎｇ）を適用するためにＳＦ＊２になる。ＳＦ＊２個の直交シーケンスを使用して拡散されたＰＨＩＣＨが１個のＰＨＩＣＨグループで定義することができる。ステップＳ１３３で、拡散されたシンボルに対してレイヤマッピングが実行される。ステップＳ１２４で、レイヤマッピングされたシンボルがリソースマッピングされて送信される。
【０１２６】
ＰＨＩＣＨは、ＰＵＳＣＨ送信によるＨＡＲＱＡＣＫ／ＮＡＣＫを運ぶ。同じ集合のリソース要素にマッピングされた複数のＰＨＩＣＨがＰＨＩＣＨグループを形成し、ＰＨＩＣＨグループ内の各々のＰＨＩＣＨは互いに異なる直交シーケンス（ｏｒｔｈｏｇｏｎａｌ  ｓｅｑｕｅｎｃｅ）により区分される。ＦＤＤシステムでＰＨＩＣＨグループの個数であるＮＰＨＩＣＨｇｒｏｕｐは、全てのサブフレームで一定であり、数式１３により決定されることができる。
【０１２７】
【化１７】
0005529973.tif 000024
数式１３で、Ｎｇは、ＰＢＣＨ（Ｐｈｙｓｉｃａｌ  Ｂｒｏａｄｃａｓｔ  Ｃｈａｎｎｅｌ）を介して上位階層で送信され、Ｎｇ∈｛１／６，１／２，１，２｝である。ＰＢＣＨは、端末が基地局との通信に必須なシステム情報を運び、ＰＢＣＨを介して送信されるシステム情報をＭＩＢ（Ｍａｓｔｅｒ  Ｉｎｆｏｒｍａｔｉｏｎ  Ｂｌｏｃｋ）という。これと比較し、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信されるシステム情報をＳＩＢ（Ｓｙｓｔｅｍ  Ｉｎｆｏｒｍａｔｉｏｎ  Ｂｌｏｃｋ）という。ＮＲＢＤＬは、周波数領域でのリソースブロックの大きさであるＮｓｃＲＢの倍数で表現したダウンリンク帯域幅構成である。ＰＨＩＣＨグループインデックスｎＰＨＩＣＨｇｒｏｕｐは、０からＮＰＨＩＣＨｇｒｏｕｐ−１のうちいずれか一つの整数である。
【０１２８】
ＰＨＩＣＨに使われるリソースは、ＰＵＳＣＨのリソース割当時、最も小さいＰＲＢインデックスとアップリンクグラント（ＵＬ  ｇｒａｎｔ）で送信されるＤＭＲＳ（Ｄｅｍｏｄｕｌａｔｉｏｎ  Ｒｅｆｅｒｅｎｃｅ  Ｓｉｇｎａｌ）の循環シフト値に基づいて決定されることができる。ＰＨＩＣＨがマッピングされるリソース（以下、ＰＨＩＣＨリソースという）はインデックス対である（ｎＰＨＩＣＨｇｒｏｕｐ，ｎＰＨＩＣＨｓｅｑ）で表現することができて、ｎＰＨＩＣＨｇｒｏｕｐはＰＨＩＣＨグループインデックスを示し、ｎＰＨＩＣＨｓｅｑは前記ＰＨＩＣＨグループ内の直交シーケンスインデックスを示す。前記（ｎＰＨＩＣＨｇｒｏｕｐ，ｎＰＨＩＣＨｓｅｑ）は、数式１４により決定されることができる。
【０１２９】
【化１８】
0005529973.tif 000025
ｎＤＭＲＳは、表７によりＤＣＩフォーマット０内のＤＭＲＳ循環シフト（Ｃｙｃｌｉｃ  ｓｈｉｆｔ  ｆｏｒ  ＤＭＲＳ）フィールドに基づいて決定されることができる。表７は、表６と同様である。
【０１３０】
【表７】
0005529973.tif 000026
また、同じトランスポートブロックでＤＣＩフォーマット０を含むＰＤＣＣＨが送信されない場合、同じトランスポートブロックで最初のＰＵＳＣＨが半永久的（ｓｅｍｉ−ｐｅｒｓｉｓｔｅｎｔｌｙ）にスケジューリングされる場合、または同じトランスポートブロックで最初のＰＵＳＣＨが任意接続応答グラント（ｒａｎｄｏｍ  ａｃｃｅｓｓ  ｒｅｓｐｏｎｓｅ  ｇｒａｎｔ）によりスケジューリングされた場合にｎＤＭＲＳは０である。
【０１３１】
また、数式１４で、ＮＳＦＰＨＩＣＨは、図１５のＰＨＩＣＨ変調に使われる拡散因子（ＳＦ；Ｓｐｒｅａｄｉｎｇ  Ｆａｃｔｏｒ）である。ＩＰＲＢ＿ＲＡｌｏｗｅｓｔ＿ｉｎｄｅｘは、該当ＰＨＩＣＨに対応されるＰＵＳＣＨが送信されるスロットのＰＲＢのうち最も小さいＰＲＢインデックスである。ＩＰＨＩＣＨは０または１の値である。
【０１３２】
ＰＨＩＣＨに使われる直交シーケンスは、表８により決定されることができる。使われる直交シーケンスは、ｎＰＨＩＣＨｓｅｑ値に応じて、またはＣＰ構造によって変わることができる。
【０１３３】
【表８】
0005529973.tif 000027
複数のＰＨＩＣＨが同時に割り当てられることができる。特に、搬送波集合システム、ＭＵ−ＭＩＭＯ、ＣｏＭＰ（Ｃｏｏｐｅｒａｔｉｖｅ  Ｍｕｌｔｉ−Ｐｏｉｎｔ）送信方式などのシステムで複数のＰＨＩＣＨが割り当てられることができる。
【０１３４】
図２２は、ＳＣ−ＦＤＭＡ送信方式を適用したアップリンクでＭＩＭＯ送信過程を示すブロック図である。
【０１３５】
ＭＩＭＯ送信を実行するために複数の符号語（ｃｏｄｅｗｏｒｄ）が使われることができる。符号語の個数が２個であると仮定する時、ステップＳ１４０で、各符号語はスクランブリングされ、ステップＳ１４１で、前記符号語が変調シンボルでマッピングされ、ステップＳ１４２で、前記各シンボルが各レイヤでマッピングされる。ステップＳ１４３で、前記各レイヤはＤＦＴ拡散され、ステップＳ１４４で、前記各レイヤはプリコーディングされる。ステップＳ１４５で、プリコーディングされて生成されたストリームはリソース要素にマッピングされ、ステップＳ１４６で、生成されたＳＣ−ＦＤＭＡ信号生成器を介して各アンテナを介して送信される。アップリンクに対するＨＡＲＱを容易にするために、各符号語に対して２個の独立したＡＣＫ／ＮＡＣＫ信号が各々必要である。
【０１３６】
一方、複数のＰＨＩＣＨが同時に割り当てられる時、ＰＨＩＣＨリソースが互いに衝突（ｃｏｌｌｉｓｉｏｎ）することができる。以下、複数のＰＨＩＣＨが割り当てられる環境で搬送波集合システムを仮定し、各コンポーネントキャリア毎に一つの符号語を仮定する。
【０１３７】
図２３乃至図２５は、複数のＰＨＩＣＨが割り当てられる時、ＰＨＩＣＨリソースが互いに衝突する場合の一例である。搬送波の個数は２個であると仮定する。
【０１３８】
図２３で、基地局は、サブフレームｎで各コンポーネントキャリアに対して端末のＰＵＳＣＨリソースを割り当てるためのアップリンクグラント（ＵＬ  ｇｒａｎｔ）を端末に送信する。第１の搬送波（ＣＣ＃０）に対する第１のアップリンクグラントが前記第１の搬送波内の第１のＰＤＣＣＨ（ＰＤＣＣＨ＃０）を介して送信され、第２の搬送波（ＣＣ＃１）に対する第２のアップリンクグラントも前記第１の搬送波内の第２のＰＤＣＣＨ（ＰＤＣＣＨ＃１）を介して送信される。即ち、第２の搬送波のアップリンク送信は、交差搬送波スケジューリング（ｃｒｏｓｓ−ｃａｒｒｉｅｒ  ｓｃｈｅｄｕｌｉｎｇ）の方式にスケジューリングされる。
【０１３９】
図２４で、端末は、サブフレーム（ｎ＋４）でアップリンクグラントにより各コンポーネントキャリアにスケジューリングされた２個のＰＵＳＣＨ上にアップリンクデータを送信する。前記第１のアップリンクグラントにより前記第１の搬送波にスケジューリングされた第１のＰＵＳＣＨ（ＰＵＳＣＨ＃０）上に第１のアップリンクデータが送信され、前記第２のアップリンクグラントにより前記第２の搬送波にスケジューリングされた第２のＰＵＳＣＨ（ＰＵＳＣＨ＃１）上に第２のアップリンクデータが送信される。この時、各コンポーネントキャリアでＰＵＳＣＨがマッピングされるリソースは、最も小さいＰＲＢインデックスが同じである。
【０１４０】
図２５で、サブフレーム（ｎ＋８）で、基地局は、受信した各アップリンクデータに対するＡＣＫ／ＮＡＣＫをＰＨＩＣＨ上に端末に送信する。この時、各アップリンクデータが送信される各コンポーネントキャリア内でのリソースの最も小さいＰＲＢインデックスと循環シフト値が同じ場合、数式１４により決定されるＰＨＩＣＨリソースの位置が互いに同じになる。従って、複数のＰＨＩＣＨが割り当てられる時、ＰＨＩＣＨリソースが互いに衝突することができる。
【０１４１】
図２３乃至図２５で搬送波集合システムの場合を仮定したが、ＭＵ−ＭＩＭＯの環境で複数のＰＨＩＣＨが割り当てられる場合、前記のようなＰＨＩＣＨリソースの衝突が発生することができる。または、ＳＵ−ＭＩＭＯ環境でも端末が複数の符号語を送信する時、各符号語に対するＡＣＫ／ＮＡＣＫ信号が同じＰＨＩＣＨ上に送信されることができるため、ＰＨＩＣＨリソースの衝突が発生することができる。各ＰＵＳＣＨに割り当てられる循環シフト値を異なるようにして衝突の問題を解決することができるが、符号語の個数、搬送波の個数などによって、相変らず問題が発生することができる。
【０１４２】
以下、ＰＨＩＣＨリソースの衝突問題を解決するための方法を記述する。
【０１４３】
図２６は、提案されたＨＡＲＱ実行方法の一実施例を示す。
【０１４４】
ステップＳ２００で、端末はＰＵＳＣＨ上に複数の符号語を基地局に送信する。ステップＳ２１０で、端末は前記複数の符号語の各々の受信可否を指示する複数のＡＣＫ／ＮＡＣＫ信号を前記各々の符号語に対応される各々のＰＨＩＣＨ上に基地局から受信する。この時、前記各々のＰＨＩＣＨがマッピングされるリソースは互いに衝突しない。
【０１４５】
複数のＰＨＩＣＨリソースが互いに衝突しないように多様な方法が研究されることができる。
【０１４６】
１）ＰＨＩＣＨリソースが予め決定されることができる。
【０１４７】
例えば、ＰＨＩＣＨリソースのインデックスは、数式１５により予め決定されることができる。
【０１４８】
【化１９】
0005529973.tif 000028
数式１５は、ＰＨＩＣＨがマッピングされるリソースを決定する数式１４でＩＰＲＢ＿ＲＡｌｏｗｅｓｔ＿ｉｎｄｅｘの代わりにＩＰＲＢ＿ＲＡｌｏｗｅｓｔ＿ｉｎｄｅｘ＋βを代入した形態である。予め指定されたβに基づいてＰＨＩＣＨリソースが決定されることができる。複数の符号語に対するＡＣＫ／ＮＡＣＫ信号が送信されるためのＰＨＩＣＨが割り当てられるＰＨＩＣＨリソースは、前記βが異なるように指定されることによって衝突しないことがある。
【０１４９】
前記βは、特定の整数で予め指定されることができる。例えば、符号語が２個である時、前記βは、＋１または−１のうちいずれか一つの値で定義されることができる。β＝１は、物理的にＰＨＩＣＨに対応されるＰＵＳＣＨがマッピングされるリソースのうち２番目に小さいＰＲＢインデックスを示すことができる。即ち、ＰＵＳＣＨがマッピングされるリソースのうち最も小さいＰＲＢインデックスをＩＰＲＢ＿ＲＡｌｏｗｅｓｔ＿ｉｎｄｅｘとする時、（ＩＰＲＢ＿ＲＡｌｏｗｅｓｔ＿ｉｎｄｅｘ＋１）番目のＰＲＢを示す。β＝−１は、物理的に隣接する他の端末または他の搬送波のＰＨＩＣＨに対応されるＰＵＳＣＨがマッピングされるリソースのうち最も大きいＰＲＢインデックスを示す。このように、複数のＰＨＩＣＨリソースを割り当ててＰＨＩＣＨがマッピングされることができるリソースを増加させて活用することができ、スケジューリング時に利得を得ることができる。
【０１５０】
図２７は、ＰＨＩＣＨリソース割当方法の一実施例である。図２７は、アップリンクＳＵ−ＭＩＭＯ環境で一つの端末が２個の符号語を送信する時、２個の符号語に対する各々のＰＨＩＣＨリソースが割り当てられる実施例を示す。アップリンクＳＵ−ＭＩＭＯ環境でＳＣ−ＦＤＭＡ送信方式が使われることができ、ＳＣ−ＦＭＤＡ送信方式は、図２２のブロック図によって実行されることができる。図２７の実施例で、ＰＨＩＣＨリソースは数式１５により割り当てられ、βは０または１に決定される。端末に２個以上のＰＲＢが割り当てられる場合、数式１４により最も小さいインデックスを有するＰＲＢに対応されるＰＨＩＣＨがＡＣＫ／ＮＡＣＫを送信のために使われ、２番目に小さいインデックスを有するＰＲＢに対応されるＰＨＩＣＨは使われない。この時、β＝１の場合、前記使われないＰＨＩＣＨを用いて複数のＡＣＫ／ＮＡＣＫを送信することができ、これによって、複数のＰＨＩＣＨを効果的にサポートすることができる。
【０１５１】
図２７を参照すると、第１の端末（ＵＥ＃０）に対し、第１の符号語に対するＰＨＩＣＨリソースは、インデックスＩＰＲＢ＿ＲＡｌｏｗｅｓｔ＿ｉｎｄｅｘに基づいて決定され、第２の符号語に対するＰＨＩＣＨリソースは、インデックスＩＰＲＢ＿ＲＡｌｏｗｅｓｔ＿ｉｎｄｅｘ＋１に基づいて決定される。即ち、第１の符号語に対するＰＨＩＣＨリソースは、数式１５でβ＝０に該当し、第２の符号語に対するＰＨＩＣＨリソースは、数式１５でβ＝０に該当する。前記第１の端末の第２の符号語に対するＰＨＩＣＨリソースは、ＬＴＥ  Ｒｅｌ−８では使われないリソースである。また、第２の端末（ＵＥ＃１）に対し、第１の符号語に対するＰＨＩＣＨリソースは、インデックス（ＩＰＲＢ＿ＲＡｌｏｗｅｓｔ＿ｉｎｄｅｘ）’に基づいて決定され、第２の符号語に対するＰＨＩＣＨリソースは、インデックス（ＩＰＲＢ＿ＲＡｌｏｗｅｓｔ＿ｉｎｄｅｘ）’＋１に基づいて決定される。同様に、第１の符号語に対するＰＨＩＣＨリソースは、数式１５でβ＝０に該当し、第２の符号語に対するＰＨＩＣＨリソースは、数式１５でβ＝０に該当する。前記第１の端末の第２の符号語に対するＰＨＩＣＨリソースは、ＬＴＥ  Ｒｅｌ−８では使われないリソースである。前記第２の端末の第２の符号語に対するＰＨＩＣＨリソースは、ＬＴＥ  Ｒｅｌ−８では使われないリソースである。従って、基地局の立場で複数のＰＨＩＣＨを送信するために多い量のＰＨＩＣＨリソースを効率的に用いることができる。
【０１５２】
図２７の実施例で、アップリンクＳＵ−ＭＩＭＯ環境で端末が２個の符号語を送信する場合を仮定し、各々の符号語に対するＰＨＩＣＨリソースを数式１５により割り当てたが、複数のコンポーネントキャリアまたはＭＵ−ＭＩＭＯの環境でも同様の方法によりＰＨＩＣＨリソースを割り当てることができる。例えば、３個の搬送波が存在する場合、第１の搬送波に対してはβ＝０、第２の搬送波に対してはβ＝１、第３の搬送波に対してはβ＝２のように、βに複数の整数を各々割り当てることができる。図２７の実施例ではβ＝１に指定されることを例示したが、これは例示に過ぎず、βは多様な値で指定されることができる。
【０１５３】
または、前記例示で、第１の符号語に対するＰＨＩＣＨと第２の符号語に対するＰＨＩＣＨとは、最も小さいＰＲＢインデックスに対応されるリソースに同時にマッピングされることができる。即ち、第１の符号語に対するＰＨＩＣＨリソースと第２の符号語に対するＰＨＩＣＨリソースとは、シグナリングまたは予め指定される方法に同じに割り当てられる。これをＰＨＩＣＨバンドリング（ＰＨＩＣＨバンドリング）ということができる。ＰＨＩＣＨバンドリングにより複数のＰＨＩＣＨを代表する代表（ｒｅｐｒｅｓｅｎｔａｔｉｖｅ）ＰＨＩＣＨ上に代表ＡＣＫ／ＮＡＣＫが送信されることができる。例えば、複数のＰＨＩＣＨ上に全てのＡＣＫが送信される場合、代表ＰＨＩＣＨ上にＡＣＫが送信されることができる。また、複数のＰＨＩＣＨ上に少なくとも一つのＮＡＣＫが送信される場合、代表ＰＨＩＣＨ上にＮＡＣＫが送信されることができる。
【０１５４】
または、ＰＨＩＣＨリソースのインデックスは、数式１６により予め決定されることができる。
【０１５５】
【化２０】
0005529973.tif 000029
αは、予め決定されるパラメータである。例えば、２個の符号語、５個の搬送波で構成される搬送波集合システム、４名のユーザを含むＭＵ−ＭＩＭＯシステムを仮定すると、前記αは、前記符号語の個数、搬送波の個数、及びユーザの数を考慮して決定されることができる。
【０１５６】
数式１７は、前記αを決定する数式の一例である。
【０１５７】
【化２１】
0005529973.tif 000030
数式１８は、前記αを決定する数式の他の例である。
【０１５８】
【化２２】
0005529973.tif 000031
ｎＣＷ、ｎＣＣ、及びｎＵＥは、各々、符号語、コンポーネントキャリアインデックス、及び端末に対するパラメータを示す。ｎＣＷ、ｎＣＣ、及びｎＵＥは、システム内で予め決定されることができる。数式１７及び数式１８は、前記αを定義する数式の一例であり、前記αは、前記ｎＣＷ、ｎＣＣ、及びｎＵＥなどを組合せて多様な方法により決定されることができる。
【０１５９】
２）基地局が複数のＰＨＩＣＨリソースを調整することができる。このために、新しいオフセットが定義されてシグナリングされることができる。前記オフセットは、複数のＰＨＩＣＨリソースが衝突することができる状況、即ち、複数の符号語、ＭＵ−ＭＩＭＯ、搬送波集合システムなどを考慮して定義されることができる。例えば、２個の符号語、５個の搬送波で構成される搬送波集合システム、４名のユーザを含むＭＵ−ＭＩＭＯシステムを仮定する。これによって、２＊５＊４＝４０個の状態（ｓｔａｔｅ）が存在することができ、前記４０個の状態を指示するオフセットが定義することができる。
【０１６０】
数式１９は、前記オフセットに基づいて決定されたＰＨＩＣＨリソースのインデックスの一例である。ＰＨＩＣＨリソースは、インデックス対である（ｎＰＨＩＣＨｇｒｏｕｐ，ｎＰＨＩＣＨｓｅｑ）で表現することができ、ｎＰＨＩＣＨｇｒｏｕｐはＰＨＩＣＨグループインデックスを示し、ｎＰＨＩＣＨｓｅｑは前記ＰＨＩＣＨグループ内の直交シーケンスインデックスを示す。これは数式１４の変形である。
【０１６１】
【化２３】
0005529973.tif 000032
数式１９で、ｎＯＦＦＳＥＴに基づいてＰＨＩＣＨリソースのインデックスが決定される。ｎＯＦＦＳＥＴは、０〜３９のうちいずれか一つの整数である。
【０１６２】
数式２０は、前記オフセットに基づいて決定されたＰＨＩＣＨリソースのインデックスの他の例である。
【０１６３】
【化２４】
0005529973.tif 000033
数式２１は、前記オフセットに基づいて決定されたＰＨＩＣＨリソースのインデックスの他の例である。
【０１６４】
【化２５】
0005529973.tif 000034
ｎＣＷ、ｎＣＣ、及びｎＯＣＣは、各々、符号語、コンポーネントキャリアインデックス、及びＯＣＣに対するパラメータを示す。数式１９で、オフセットがｎＯＦＦＳＥＴの一つのパラメータにより決定される反面、数式２０または数式２１では、ｎＣＷ、ｎＣＣまたはｎＯＣＣの複数のパラメータによりＰＨＩＣＨリソースのインデックスが決定される。
【０１６５】
数式２２は、前記オフセットに基づいて決定されたＰＨＩＣＨリソースのインデックスの他の例である。
【０１６６】
【化２６】
0005529973.tif 000035
数式２２で、ｎＤＭＲＳ外にオフセットαを用いてＰＨＩＣＨリソースのインデックスが決定される。αは基地局によりシグナリングされる。
【０１６７】
３）ＰＨＩＣＨリソースは、ＤＣＩフォーマット内の循環シフト値（ｎＤＭＲＳ）により決定されることができる。例えば、２個の符号語を仮定する時、第１の符号語に対するＰＨＩＣＨリソースはｎＤＭＲＳの関数で決定されることができ、第２の符号語に対するＰＨＩＣＨリソースはｎＤＭＲＳ＋αの関数で決定されることができる。前記αは、前記循環シフト値の範囲は０〜１１のうちいずれか一つの整数である。即ち、α＝１の場合、第１の符号語に対するＰＨＩＣＨは、最も小さいＰＲＢインデックスとｎＤＭＲＳにより決定されることができ、第２の符号語に対するＰＨＩＣＨは、最も小さいＰＲＢインデックスとｎＤＭＲＳ＋１により決定されることができる。
【０１６８】
この時、各符号語に対するＰＨＩＣＨリソースを決定するための循環シフト値は、各レイヤに対する循環シフト値により決定されることができる。例えば、４個のレイヤを仮定する時、各レイヤのＤＭＲＳに対して４個の循環シフト値が存在することができる。例えば、レイヤ０、レイヤ１、レイヤ２、及びレイヤ３に対する循環シフトオフセットは、各々、０、６、３、及び９である。この時、ｎＤＲＭＳ＝３の場合、各レイヤの循環シフト値は、各々、３（３＋０）、９（３＋６）、６（３＋３）、及び０（（３＋９）ｍｏｄ１２）である。各レイヤの循環シフト値または循環シフトオフセットは、予め決定されたり、上位階層によりシグナリングされることができる。本例で、２個の符号語に対するＰＨＩＣＨリソースは、各レイヤに与えられた循環シフト値のうち一部を使用して決定されることができる。例えば、第１の符号語に対するＰＨＩＣＨリソースのインデックスは３であり、第２の符号語に対するＰＨＩＣＨリソースのインデックスは６である。
【０１６９】
４）クラスタ化されたＤＦＴ−ｓ  ＯＦＤＭシステムで、複数のＰＨＩＣＨリソースは、各クラスタでの最も小さいＰＲＢインデックスにより決定されることができる。各クラスタでのＰＨＩＣＨリソースのインデックスは、数式２３により一般化されることができる。
【０１７０】
【化２７】
0005529973.tif 000036
数式２３で、ＩＰＲＢは各クラスタを構成するＰＲＢのうち最も小さいＰＲＢのインデックスである。前記βは、クラスタのインデックス、符号語、コンポーネントキャリアインデックス、ユーザの数等によって決定されることができる。数式２３でβ＝１である場合、図２７の実施例のような形態にＰＨＩＣＨリソースが割り当てられることができる。
【０１７１】
図２８は、２個のクラスタを含むクラスタ化されたＤＦＴ−ｓ  ＯＦＤＭシステム及びアップリンクＳＵ−ＭＩＭＯ環境で２個の端末が各々２個の符号語を送信する場合、ＰＨＩＣＨリソース割当方法の一実施例である。図２８を参照すると、第１の符号語（ＣＷ＃０）に対するＰＨＩＣＨリソースは、１番目のクラスタ（ｃｌｕｓｔｅｒ＃０）の最も小さいＰＲＢインデックスに基づいて決定され、第２の符号語（ＣＷ＃１）に対するＰＨＩＣＨリソースは、２番目のクラスタ（ｃｌｕｓｔｅｒ＃１）の最も小さいＰＲＢインデックスに基づいて決定される。
【０１７２】
第１の端末（ＵＥ＃０）に対するＰＨＩＣＨリソースのインデックスは、数式２４及び数式２７により決定されることができる。数式２４は、第１の端末（ＵＥ＃０）の第１の符号語（ＣＷ＃０）に対するＰＨＩＣＨリソースのインデックスである。
【０１７３】
【化２８】
0005529973.tif 000037
数式２５は、第１の端末（ＵＥ＃０）の第２の符号語（ＣＷ＃１）に対するＰＨＩＣＨリソースのインデックスである。
【０１７４】
【化２９】
0005529973.tif 000038
第２の端末（ＵＥ＃１）に対するＰＨＩＣＨリソースのインデックスは、数式２５及び数式２６により決定されることができる。数式２６は、第２の端末（ＵＥ＃１）の第１の符号語（ＣＷ＃０）に対するＰＨＩＣＨリソースのインデックスである。
【０１７５】
【化３０】
0005529973.tif 000039
数式２７は、第２の端末（ＵＥ＃１）の第２の符号語（ＣＷ＃１）に対するＰＨＩＣＨリソースのインデックスである。
【０１７６】
【化３１】
0005529973.tif 000040
または、数式２３で、αはオフセットを含むことができる。例えば、４個のＰＨＩＣＨが送信される時、一つの端末に対する第１のＰＨＩＣＨ（ＰＨＩＣＨ＃０）乃至第４のＰＨＩＣＨ（ＰＨＩＣＨ＃３）リソースは、数式２８乃至数式３１によりＰＨＩＣＨリソースのインデックスが決定されることができる。
【０１７７】
【化３２】
0005529973.tif 000041
【０１７８】
【化３３】
0005529973.tif 000042
【０１７９】
【化３４】
0005529973.tif 000043
【０１８０】
【化３５】
0005529973.tif 000044
または、ＰＨＩＣＨリソースは、ＤＣＩフォーマット内の循環シフト値（ｎＤＭＲＳ）により決定されることができる。第１のクラスタのｎＤＭＲＳは、第１の符号語に対するＰＨＩＣＨリソースの決定のために使われることができ、第２のクラスタのｎＤＭＲＳは、第２の符号語に対するＰＨＩＣＨリソースの決定のために使われることができる。各クラスタのｎＤＭＲＳは、予め決定されたり、上位階層によりシグナリングされることができる。
【０１８１】
図２９は、提案されたＡＣＫ／ＮＡＣＫ信号送信方法の一実施例を示す。
【０１８２】
ステップＳ３００で、基地局は複数のＰＨＩＣＨシーケンスを生成する。ステップＳ３１０で、基地局は前記生成した複数のＰＨＩＣＨシーケンスをダウンリンクリソースにマッピングする。この時、複数のＰＨＩＣＨがマッピングされるリソースは、互いに重ならない。ステップＳ３２０で、基地局は前記マッピングされた複数のＰＨＩＣＨシーケンスを端末に送信する。
【０１８３】
図３０は、本発明の実施例が具現される基地局及び端末を示すブロック図である。
【０１８４】
基地局８００は、シーケンス生成部（ｓｅｑｕｅｎｃｅ  ｇｅｎｅｒａｔｏｒ）８１０、マッパ（ｍａｐｐｅｒ）８２０、及びＲＦ部（Ｒａｄｉｏ  Ｆｒｅｑｕｅｎｃｙ  Ｕｎｉｔ）８３０を含む。シーケンス生成部８１０は、複数のＰＨＩＣＨシーケンスを生成する。マッパ８２０は、前記生成した複数のＰＨＩＣＨシーケンスをダウンリンクリソースにマッピングする。この時、複数のＰＨＩＣＨがマッピングされるリソースは、互いに重ならない。ＲＦ部８３０は、前記マッパ８２０と連結され、前記マッピングされた複数のＰＨＩＣＨシーケンスを端末に送信する。
【０１８５】
端末９００は、プロセッサ（ｐｒｏｃｅｓｓｏｒ）９１０、及びＲＦ部９２０を含む。ＲＦ部９２０は、プロセッサ９１０と連結され、ＰＵＳＣＨ上に複数の符号語を送信し、前記複数の符号語の各々の受信可否を指示する複数のＡＣＫ／ＮＡＣＫ信号を前記各符号語に対応する各々のＰＨＩＣＨ上に受信するように構成される。プロセッサ９１０は、前記複数の符号語と前記複数のＡＣＫ／ＮＡＣＫ信号を処理する。前記各々のＰＨＩＣＨがマッピングされるダウンリンクリソースは、前記ＰＵＳＣＨがマッピングされた最も小さいＰＲＢインデックス（ＩＰＲＢ＿ＲＡｌｏｗｅｓｔ＿ｉｎｄｅｘ）及びアップリンクグラントに送信されるＤＭＲＳに対するパラメータ（ｎＤＭＲＳ）に基づいて決定され、前記各々のＰＨＩＣＨがマッピングされるダウンリンクリソースは、互いに重ならない。
【０１８６】
本発明は、ハードウェア、ソフトウェアまたはこれらの組合せで具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御器、マイクロプロセッサ、他の電子ユニットまたはこれらの組合せで具現されることができる。ソフトウェア具現において、前述した機能を遂行するモジュールで具現されることができる。ソフトウェアは、メモリユニットに格納されることができ、プロセッサにより実行される。メモリユニットやプロセッサは、当業者によく知られた多様な手段を採用することができる。
【０１８７】
前述した例示的なシステムで、方法は、一連のステップまたはブロックで順序図に基づいて説明されているが、本発明は、ステップの順序に限定されるものではなく、あるステップは、前述と異なるステップと異なる順序にまたは同時に発生することができる。また、当業者であれば、順序図に示すステップが排他的でなく、他のステップが含まれたり順序図の一つまたはその以上のステップが本発明の範囲に影響を及ぼさずに削除可能であることを理解することができる。
【０１８８】
前述した実施例は、多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する全ての交替、修正及び変更を含む。
（項目１）
無線通信システムにおけるＨＡＲＱ（Ｈｙｂｒｉｄ  Ａｕｔｏｍａｔｉｃ  Ｒｅｐｅａｔ  Ｒｅｑｕｅｓｔ）実行方法において、
ＰＵＳＣＨ（Ｐｈｙｓｉｃａｌ  Ｕｐｌｉｎｋ  Ｓｈａｒｅｄ  Ｃｈａｎｎｅｌ）上に複数の符号語を送信し、
前記複数の符号語の各々の受信可否を指示する複数のＡＣＫ／ＮＡＣＫ（Ａｃｋｎｏｗｌｅｄｇｅｍｅｎｔ／Ｎｏｎ−Ａｃｋｎｏｗｌｅｄｇｅｍｅｎｔ）信号を前記各符号語に対応される各々のＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）上に受信することを含み、
前記各々のＰＨＩＣＨがマッピングされるダウンリンクリソースは、前記ＰＵＳＣＨがマッピングされたＰＲＢ（Ｐｈｙｓｉｃａｌ  Ｒｅｓｏｕｒｃｅ  Ｂｌｏｃｋ）のうち最も小さいＰＲＢのインデックス（ＩＰＲＢ＿ＲＡｌｏｗｅｓｔ＿ｉｎｄｅｘ）及びアップリンクＤＭＲＳ（Ｄｅｍｏｄｕｌａｔｉｏｎ  Ｒｅｆｅｒｅｎｃｅ  Ｓｉｇｎａｌ）循環シフトパラメータ（ｎＤＭＲＳ）に基づいて決定され、
前記各々のＰＨＩＣＨがマッピングされるダウンリンクリソースは、互いに重ならないことを特徴とするＨＡＲＱ実行方法。
（項目２）
前記複数の符号語の個数は、２個であることを特徴とする項目１に記載のＨＡＲＱ実行方法。
（項目３）
前記各々のＰＨＩＣＨがマッピングされるダウンリンクリソースは、オフセットβに基づいて決定されることを特徴とする項目１に記載のＨＡＲＱ実行方法。
（項目４）
前記各々のＰＨＩＣＨがマッピングされるダウンリンクリソースは、以下の数式に基づいて決定されることを特徴とする項目３に記載のＨＡＲＱ実行方法。
【０１８９】
【化３６】
0005529973.tif 000045
ｎＰＨＩＣＨｇｒｏｕｐはＰＨＩＣＨグループのインデックスであり、ｎＰＨＩＣＨｓｅｑは前記ＰＨＩＣＨグループ内の直交シーケンスインデックスであり、βは前記オフセットであり、ＮＰＨＩＣＨｇｒｏｕｐは前記ＰＨＩＣＨグループの個数であり、ＩＰＨＩＣＨは０または１の値であり、ＮＳＦＰＨＩＣＨは拡散因子（ＳＦ；Ｓｐｒｅａｄｉｎｇ  Ｆａｃｔｏｒ）である。
（項目５）
前記オフセットβは、０または１のうちいずれか一つであることを特徴とする項目４に記載のＨＡＲＱ実行方法。
（項目６）
前記オフセットβは、予め決定されたり、または上位階層によりシグナリングされることを特徴とする項目３に記載のＨＡＲＱ実行方法。
（項目７）
前記複数の符号語を送信することは、前記複数の符号語をスクランブリング（ｓｃｒａｍｂｌｉｎｇ）して変調シンボルでマッピングし、前記各変調シンボルを各レイヤでマッピングし、前記各レイヤをＤＦＴ（Ｄｉｓｃｒｅｔｅ  Ｆｏｕｒｉｅｒ  Ｔｒａｎｓｆｏｒｍ）拡散（ｓｐｒｅａｄｉｎｇ）してプリコーディング（ｐｒｅｃｏｄｉｎｇ）し、前記プリコーディングにより生成されたストリームをリソース要素にマッピングして送信することを含むことを特徴とする項目１に記載のＨＡＲＱ実行方法。
（項目８）
前記複数の符号語及び前記複数のＡＣＫ／ＮＡＣＫ信号は、複数の搬送波を介して送信されることを特徴とする項目１に記載のＨＡＲＱ実行方法。
（項目９）
前記各符号語が送信される搬送波と前記各符号語に対応される前記各ＡＣＫ／ＮＡＣＫ信号が送信される搬送波とは、同じ搬送波であることを特徴とする項目８に記載のＨＡＲＱ実行方法。
（項目１０）
前記複数の搬送波は、少なくとも一つのＭＡＣ（Ｍｅｄｉａ  Ａｃｃｅｓｓ  Ｃｏｎｔｒｏｌ）により管理されることを特徴とする項目８に記載のＨＡＲＱ実行方法。
（項目１１）
前記複数のＡＣＫ／ＮＡＣＫ信号は、複数のアンテナを介して送信されることを特徴とする項目１に記載のＨＡＲＱ実行方法。
（項目１２）
無線通信システムにおけるＨＡＲＱ（Ｈｙｂｒｉｄ  Ａｕｔｏｍａｔｉｃ  Ｒｅｐｅａｔ  Ｒｅｑｕｅｓｔ）実行装置において、
ＰＵＳＣＨ（Ｐｈｙｓｉｃａｌ  Ｕｐｌｉｎｋ  Ｓｈａｒｅｄ  Ｃｈａｎｎｅｌ）上に複数の符号語を送信し、前記複数の符号語の各々の受信可否を指示する複数のＡＣＫ／ＮＡＣＫ（Ａｃｋｎｏｗｌｅｄｇｅｍｅｎｔ／Ｎｏｎ−Ａｃｋｎｏｗｌｅｄｇｅｍｅｎｔ）信号を前記各符号語に対応する各々のＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）上に受信するように構成されるＲＦ部；及び、
前記ＲＦ部と連結され、前記複数の符号語と前記複数のＡＣＫ／ＮＡＣＫ信号を処理するプロセッサ；を含み、
前記各々のＰＨＩＣＨがマッピングされるダウンリンクリソースは、前記ＰＵＳＣＨがマッピングされたＰＲＢ（Ｐｈｙｓｉｃａｌ  Ｒｅｓｏｕｒｃｅ  Ｂｌｏｃｋ）のうち最も小さいＰＲＢのインデックス（ＩＰＲＢ＿ＲＡｌｏｗｅｓｔ＿ｉｎｄｅｘ）及びアップリンクＤＭＲＳ（Ｄｅｍｏｄｕｌａｔｉｏｎ  Ｒｅｆｅｒｅｎｃｅ  Ｓｉｇｎａｌ）循環シフトパラメータ（ｎＤＭＲＳ）に基づいて決定され、
前記各々のＰＨＩＣＨがマッピングされるダウンリンクリソースは、互いに重ならないことを特徴とするＨＡＲＱ実行装置。
（項目１３）
前記各々のＰＨＩＣＨがマッピングされるダウンリンクリソースは、以下の数式に基づいて決定されることを特徴とする項目１２に記載のＨＡＲＱ実行装置。
【０１９０】
【化３７】
0005529973.tif 000046
ｎＰＨＩＣＨｇｒｏｕｐはＰＨＩＣＨグループのインデックスであり、ｎＰＨＩＣＨｓｅｑは前記ＰＨＩＣＨグループ内の直交シーケンスインデックスであり、βは前記オフセットであり、ＮＰＨＩＣＨｇｒｏｕｐは前記ＰＨＩＣＨグループの個数であり、ＩＰＨＩＣＨは０または１の値であり、ＮＳＦＰＨＩＣＨは拡散因子（ＳＦ；Ｓｐｒｅａｄｉｎｇ  Ｆａｃｔｏｒ）である。
（項目１４）
前記オフセットβは、０または１のうちいずれか一つであることを特徴とする項目１３に記載のＨＡＲＱ実行装置。
（項目１５）
無線通信システムにおけるＡＣＫ／ＮＡＣＫ信号送信方法において、
複数のＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）シーケンスを生成し、
前記生成した複数のＰＨＩＣＨシーケンスをダウンリンクリソースにマッピングし、
前記マッピングされた複数のＰＨＩＣＨシーケンスを端末に送信することを含み、
前記各々のＰＨＩＣＨがマッピングされるダウンリンクリソースは、前記各々のＰＨＩＣＨに対応されるＰＵＳＣＨ（Ｐｈｙｓｉｃａｌ  Ｕｐｌｉｎｋ  Ｓｈａｒｅｄ  Ｃｈａｎｎｅｌ）がマッピングされたＰＲＢ（Ｐｈｙｓｉｃａｌ  Ｒｅｓｏｕｒｃｅ  Ｂｌｏｃｋ）のうち最も小さいＰＲＢのインデックス（ＩＰＲＢ＿ＲＡｌｏｗｅｓｔ＿ｉｎｄｅｘ）及びアップリンクＤＭＲＳ（Ｄｅｍｏｄｕｌａｔｉｏｎ  Ｒｅｆｅｒｅｎｃｅ  Ｓｉｇｎａｌ）循環シフトパラメータ（ｎＤＭＲＳ）に基づいて決定され、
前記各々のＰＨＩＣＨがマッピングされるダウンリンクリソースは、互いに重ならないことを特徴とする方法。
【図１】
0005529973.tif 000052
【図２】
0005529973.tif 000053
【図３】
0005529973.tif 000054
【図４】
0005529973.tif 000055
【図５】
0005529973.tif 000056
【図６】
0005529973.tif 000057
【図７】
0005529973.tif 000058
【図８】
0005529973.tif 000059
【図９】
0005529973.tif 000060
【図１０】
0005529973.tif 000061
【図１１】
0005529973.tif 000062
【図１２】
0005529973.tif 000063
【図１３】
0005529973.tif 000064
【図１４】
0005529973.tif 000065
【図１５】
0005529973.tif 000066
【図１６】
0005529973.tif 000067
【図１７】
0005529973.tif 000068
【図１８】
0005529973.tif 000069
【図１９】
0005529973.tif 000070
【図２０】
0005529973.tif 000071
【図２１】
0005529973.tif 000072
【図２２】
0005529973.tif 000073
【図２３】
0005529973.tif 000074
【図２４】
0005529973.tif 000075
【図２５】
0005529973.tif 000076
【図２６】
0005529973.tif 000077
【図２７】
0005529973.tif 000078
【図２８】
0005529973.tif 000079
【図２９】
0005529973.tif 000080
【図３０】
0005529973.tif 000081